(57)【特許請求の範囲】
【請求項１】
貯留する現像剤を像担持体に供給することで、この像担持体上の静電潜像を現像する現像装置において、
現像剤を貯留する現像槽であって、その内部空間を区分する隔壁を備える現像槽と、
前記現像槽内の現像剤を搬送する第１現像剤搬送部と、
前記現像槽内の現像剤を搬送する第２現像剤搬送部とを有し、
前記隔壁は、前記現像槽の内部空間を、この隔壁の長手方向に沿う第１搬送路と、前記像担持体側にあり、この隔壁を挟んで前記第１搬送路に対向する第２搬送路と、この隔壁の長手方向一端側において前記第１搬送路と前記第２搬送路とを連通する第１連通路と、この隔壁の長手方向他端側において前記第１搬送路と前記第２搬送路とを連通する第２連通路とに区分し、
前記第１現像剤搬送部は、前記第１搬送路内に設けられ、前記長手方向他端側から前記長手方向一端側へ向けて現像剤を搬送し、
前記第２現像剤搬送部は、前記第２搬送路内に設けられ、前記長手方向一端側から前記長手方向他端側へ向けて現像剤を搬送し、
前記第１現像剤搬送部は、
仮想的な円柱の側面を取り巻く形状の内螺旋羽根であって、この仮想的な円柱の軸線を中心とする回転運動によって、前記長手方向他端側から前記長手方向一端側へ向けて現像剤を搬送する内螺旋羽根と、
前記内螺旋羽根の外周部を取り囲み、前記内螺旋羽根とともに回転運動する回転筒であって、この回転筒内に現像剤を取り込むための孔が形成される取込口部が前記長手方向他端側に設けられ、この回転筒内から現像剤を吐き出すための孔が形成される吐出口部が前記長手方向一端側に設けられる回転筒と、
前記回転筒の外周部における前記長手方向一端側の部分に固定され、かつ、前記回転筒とともに回転運動することによって、前記回転筒の外側にある現像剤を、前記第１連通路へと送り出す送出部とを含み、
前記吐出口部は、前記長手方向において、前記送出部の前記長手方向における一端部から他端部までの間に設けられることを特徴とする現像装置。
【請求項２】
前記内螺旋羽根の回転運動の方向は、前記送出部が前記第１連通路に臨む位置で鉛直方向において上方に移動する方向であることを特徴とする請求項１に記載の現像装置。
【請求項３】
前記現像槽は、前記第１連通路に臨む第１連通路底部であって、前記第１搬送路および前記第２搬送路から遠ざかるにつれて鉛直方向上方に延びて形成される第１連通路底部を含むことを特徴とする請求項１または２に記載の現像装置。
【請求項４】
前記第１連通路底部の鉛直方向上部は、前記仮想的な円柱の軸線よりも、鉛直方向下方に設けられることを特徴とする請求項３に記載の現像装置。
【請求項５】
前記第１現像剤搬送部は、前記回転筒の外周部における前記長手方向他端側の部分に固定され、かつ、前記回転筒とともに回転運動することによって、前記回転筒の外側にある現像剤を、前記取込口部へと案内する外螺旋羽根をさらに含み、
前記現像槽内に現像剤を供給するための供給口部であって、前記外螺旋羽根の鉛直方向上方に設けられる供給口部をさらに有することを特徴とする請求項１〜４のいずれか１つに記載の現像装置。
【請求項６】
前記外螺旋羽根は、前記第２連通路に臨む位置に設けられていることを特徴とする請求項５に記載の現像装置。
【請求項７】
前記長手方向他端側において前記第１搬送路と連通する内部空間を有する補助槽をさらに有し、
前記回転筒は、前記補助槽の内部空間まで延びていることを特徴とする請求項５または６に記載の現像装置。
【請求項８】
前記外螺旋羽根は、内径が一定で、かつ、前記長手方向他端側に向かうにつれて外径が連続的に小さくなる形状に形成され、
前記補助槽は、前記外螺旋羽根の外周部に沿うように、この外周部に対して所定の間隔を空けて形成される第１周壁部を含むことを特徴とする請求項７に記載の現像装置。
【請求項９】
前記第１現像剤搬送部は、前記回転筒の外側にある現像剤を前記取込口部へと案内する上流側螺旋羽根であって、前記内螺旋羽根の前記長手方向他端側に連なり、内径が一定で、かつ、前記長手方向他端側に向かうにつれて外径が連続的に小さくなる形状の上流側螺旋羽根を含み、
前記補助槽は、前記上流側螺旋羽根の外周部に沿うように、この外周部に対して所定の間隔を空けて形成される第２周壁部を含むことを特徴とする請求項７または８に記載の現像装置。
【請求項１０】
前記第１現像剤搬送部は、前記長手方向における両端に設けられる円柱形状の支持部材をさらに含むことを特徴とする請求項１〜９のいずれか１つに記載の現像装置。
【請求項１１】
前記現像槽は、
前記第１搬送路の前記長手方向一端側の部分に臨む第１搬送路下流側底部と、
前記第１搬送路下流側底部よりも前記長手方向他端側において前記第１搬送路下流側底部に隣接する下流側障壁部であって、前記第１搬送路下流側底部よりも、鉛直方向上方に突出して形成される下流側障壁部とを含むことを特徴とする請求項１〜１０のいずれか１つに記載の現像装置。
【請求項１２】
前記現像槽は、
前記第１搬送路の前記長手方向他端側の部分に臨む第１搬送路上流側底部と、
前記第１搬送路上流側底部よりも前記長手方向一端側において前記第１搬送路上流側底部に隣接する上流側障壁部であって、前記第１搬送路上流側底部よりも、鉛直方向上方に突出して形成される上流側障壁部とを含むことを特徴とする請求項１〜１１のいずれか１つに記載の現像装置。
【請求項１３】
電子写真方式の画像形成装置において、
請求項１〜１２のいずれか１つに記載の現像装置を備えることを特徴とする画像形成装置。
【発明の詳細な説明】
【技術分野】
【０００１】
本発明は、現像装置および画像形成装置に関する。
【背景技術】
【０００２】
複写機、プリンタ、ファクシミリなどは、電子写真方式によって画像を形成する画像形成装置を備えている。電子写真方式の画像形成装置は、帯電装置および露光装置によって像担持体（感光体）の表面に静電潜像を形成し、現像装置によって現像剤を供給することでこの静電潜像を現像し、転写部によって感光体上の現像剤像を記録用紙などの記録媒体に転写し、定着装置によって記録用紙にこの現像剤像を定着させることで、画像を形成する。
【０００３】
現像装置によって感光体へ供給される現像剤は、現像装置が備える現像槽に貯留されている。現像槽に貯留される現像剤は、現像装置が備える現像ローラに搬送される。現像ローラは、その表面に現像剤を担持して回転することで、感光体へ現像剤を供給する。現像剤は、現像ローラに搬送される過程で摩擦帯電しており、帯電した現像剤は、感光体表面の静電潜像との間の静電気力によって、現像ローラ上から感光体上に移動する。このようにして、現像装置は、感光体表面の静電潜像を現像し、現像剤像を形成する。
【０００４】
近年では、画像形成装置の高速化および小型化に伴って、現像剤の帯電を迅速かつ充分に行うことができる現像装置が求められている。たとえば、特許文献１には、現像槽内に設けられる隔壁によって第１搬送路、第２搬送路、第１連通路、および第２連通路が形成され、第１搬送路内および第２搬送路内に相互に逆方向に現像剤を搬送する現像剤搬送部を備える循環方式の現像装置が記載されている。特許文献１に記載の現像剤搬送部は、回転軸部材とこの回転軸部材を取り巻く螺旋羽根とを備えるオーガスクリューにおいて、回転軸部材上に、この回転軸部材の軸線に平行な平板状部材（フィン）が設けられた構造となっている。
【先行技術文献】
【特許文献】
【０００５】
【特許文献１】特開２００４−２７２０１７号公報
【発明の概要】
【発明が解決しようとする課題】
【０００６】
特許文献１に記載の現像剤搬送部は、螺旋羽根によって、回転軸部材の軸線方向に現像剤を搬送するとともに、フィンの主面によって回転軸部材の周方向に現像剤を移動させることで、移動する現像剤を摩擦帯電させている。しかしながら、この現像剤搬送部には、螺旋羽根とフィンの側面とによって挟まれる現像剤が圧縮されてしまい、圧縮される現像剤は充分に摩擦帯電しないという課題がある。現像剤の帯電が不充分であると、画像形成装置は、良好な画像を形成できない。
【０００７】
本発明は、上述した課題を解決するためのものであり、現像剤を充分に帯電させることができる現像装置および画像形成装置を提供することを目的とする。
【課題を解決するための手段】
【０００８】
本発明は、貯留する現像剤を像担持体に供給することで、この像担持体上の静電潜像を現像する現像装置において、
現像剤を貯留する現像槽であって、その内部空間を区分する隔壁を備える現像槽と、
前記現像槽内の現像剤を搬送する第１現像剤搬送部と、
前記現像槽内の現像剤を搬送する第２現像剤搬送部とを有し、
前記隔壁は、前記現像槽の内部空間を、この隔壁の長手方向に沿う第１搬送路と、前記像担持体側にあり、この隔壁を挟んで前記第１搬送路に対向する第２搬送路と、この隔壁の長手方向一端側において前記第１搬送路と前記第２搬送路とを連通する第１連通路と、この隔壁の長手方向他端側において前記第１搬送路と前記第２搬送路とを連通する第２連通路とに区分し、
前記第１現像剤搬送部は、前記第１搬送路内に設けられ、前記長手方向他端側から前記長手方向一端側へ向けて現像剤を搬送し、
前記第２現像剤搬送部は、前記第２搬送路内に設けられ、前記長手方向一端側から前記長手方向他端側へ向けて現像剤を搬送し、
前記第１現像剤搬送部は、
仮想的な円柱の側面を取り巻く形状の内螺旋羽根であって、この仮想的な円柱の軸線を中心とする回転運動によって、前記長手方向他端側から前記長手方向一端側へ向けて現像剤を搬送する内螺旋羽根と、
前記内螺旋羽根の外周部を取り囲み、前記内螺旋羽根とともに回転運動する回転筒であって、この回転筒内に現像剤を取り込むための孔が形成される取込口部が前記長手方向他端側に設けられ、この回転筒内から現像剤を吐き出すための孔が形成される吐出口部が前記長手方向一端側に設けられる回転筒と、
前記回転筒の外周部における前記長手方向一端側の部分に固定され、かつ、前記回転筒とともに回転運動することによって、前記回転筒の外側にある現像剤を、前記第１連通路へと送り出す送出部とを含み、
前記吐出口部は、前記長手方向において、前記送出部の前記長手方向における一端部から他端部までの間に設けられることを特徴とする現像装置である。
【０００９】
また本発明は、前記内螺旋羽根の回転運動の方向は、前記送出部が前記第１連通路に臨む位置で鉛直方向において上方に移動する方向であることを特徴とする。
【００１０】
また本発明は、前記現像槽は、前記第１連通路に臨む第１連通路底部であって、前記第１搬送路および前記第２搬送路から遠ざかるにつれて鉛直方向上方に延びて形成される第１連通路底部を含むことを特徴とする。
【００１１】
また本発明は、前記第１連通路底部の鉛直方向上部は、前記仮想的な円柱の軸線よりも、鉛直方向下方に設けられることを特徴とする。
【００１２】
また本発明は、前記第１現像剤搬送部は、前記回転筒の外周部における前記長手方向他端側の部分に固定され、かつ、前記回転筒とともに回転運動することによって、前記回転筒の外側にある現像剤を、前記取込口部へと案内する外螺旋羽根をさらに含み、
前記現像槽内に現像剤を供給するための供給口部であって、前記外螺旋羽根の鉛直方向上方に設けられる供給口部をさらに有することを特徴とする。
【００１３】
また本発明は、前記外螺旋羽根は、前記第２連通路に臨む位置に設けられていることを特徴とする。
【００１４】
また本発明は、前記長手方向他端側において前記第１搬送路と連通する内部空間を有する補助槽をさらに有し、
前記回転筒は、前記補助槽の内部空間まで延びていることを特徴とする。
【００１５】
また本発明は、前記外螺旋羽根は、内径が一定で、かつ、前記長手方向他端側に向かうにつれて外径が連続的に小さくなる形状に形成され、
前記補助槽は、前記外螺旋羽根の外周部に沿うように、この外周部に対して所定の間隔を空けて形成される第１周壁部を含むことを特徴とする。
【００１６】
また本発明は、前記第１現像剤搬送部は、前記回転筒の外側にある現像剤を前記取込口部へと案内する上流側螺旋羽根であって、前記内螺旋羽根の前記長手方向他端側に連なり、内径が一定で、かつ、前記長手方向他端側に向かうにつれて外径が連続的に小さくなる形状の上流側螺旋羽根を含み、
前記補助槽は、前記上流側螺旋羽根の外周部に沿うように、この外周部に対して所定の間隔を空けて形成される第２周壁部を含むことを特徴とする。
【００１７】
また本発明は、前記第１現像剤搬送部は、前記長手方向における両端に設けられる円柱形状の支持部材をさらに含むことを特徴とする。
【００１８】
また本発明は、前記現像槽は、
前記第１搬送路の前記長手方向一端側の部分に臨む第１搬送路下流側底部と、
前記第１搬送路下流側底部よりも前記長手方向他端側において前記第１搬送路下流側底部に隣接する下流側障壁部であって、前記第１搬送路下流側底部よりも、鉛直方向上方に突出して形成される下流側障壁部とを含むことを特徴とする。
【００１９】
また本発明は、前記現像槽は、
前記第１搬送路の前記長手方向他端側の部分に臨む第１搬送路上流側底部と、
前記第１搬送路上流側底部よりも前記長手方向一端側において前記第１搬送路上流側底部に隣接する上流側障壁部であって、前記第１搬送路上流側底部よりも、鉛直方向上方に突出して形成される上流側障壁部とを含むことを特徴とする。
【００２０】
また本発明は、電子写真方式の画像形成装置において、
前記現像装置を備えることを特徴とする画像形成装置である。
【発明の効果】
【００２１】
本発明によれば、第１搬送路内の現像剤は、回転筒の取込口部を経てこの回転筒の内側に流入する。そして、現像剤は、回転筒の内側の内螺旋羽根によって前記長手方向一端側へ搬送され、回転筒の吐出口部を経て回転筒の外側に流出することになる。このとき、回転筒は内螺旋羽根とともに回転運動しており、この回転運動によって、内螺旋羽根により搬送される現像剤と回転筒の内周壁との間に摩擦が生じ、その結果、現像剤が帯電する。
【００２２】
さらに、回転筒の吐出口部から流出する現像剤は、回転筒の外周部における前記長手方向一端側の部分に固定される送出部によって第１連通路へと送り出される。吐出口部は、前記長手方向において、前記送出部の前記長手方向における一端部から他端部までの間に設けられるので、内螺旋羽根と送出部とによって現像剤が挟まれて圧縮されることを抑えることができ、その結果、現像剤を充分に帯電させた状態で円滑に搬送することができる。
【００２３】
よって、本発明に係る現像装置は、現像剤を充分に帯電させて、第１搬送路内を搬送することができ、良好な画像を形成することができる。
【００２４】
また本発明によれば、内螺旋羽根の回転運動の方向は、送出部が第１連通路に臨む位置で鉛直方向において上方に移動する方向である。したがって、本発明に係る現像装置は、吐出口部から流出した現像剤を速やかに第１連通路へと導くことができるので、現像剤に生じるストレスを抑えることができる。
【００２５】
また本発明によれば、現像槽は、第１連通路に臨む第１連通路底部であって、第１搬送路および第２搬送路から遠ざかるにつれて鉛直方向上方に延びて形成される第１連通路底部を含む。したがって、本発明に係る現像装置は、現像剤が第２搬送路から第１連通路を経て第１搬送路へと移動することを抑えることができ、現像剤を円滑に搬送することができる。
【００２６】
また本発明によれば、第１連通路底部の鉛直方向上部は、内螺旋羽根が取り巻く仮想的な円柱の軸線よりも、鉛直方向下方に設けられる。これによって、送出部上を滑り落ちる現像剤が、第１連通路を経て第２搬送路へと移動することになるので、本発明に係る現像装置は、現像剤をより円滑に搬送することができる。
【００２７】
また本発明によれば、第１現像剤搬送部は外螺旋羽根を含み、外螺旋羽根の鉛直方向上方には、現像剤を供給するための供給口部が設けられる。よって、供給口部を介して供給された新規の現像剤は、まず、外螺旋羽根によって前記長手方向他端側に搬送され、その後、回転筒の取込口部を経て回転筒内に流入し、内螺旋羽根によって前記長手方向一端側に搬送されることになる。したがって、本発明に係る現像装置によれば、現像槽を大型化することなく、新規の現像剤を搬送する距離を延ばすことができ、これによって、新規の現像剤と現像槽の内壁や回転筒の外周部との間で摩擦が生じる機会を増やすことができる。その結果、新規の現像剤をより確実に帯電させることができる。
【００２８】
また本発明によれば、外螺旋羽根は、第２連通路に臨む位置に設けられている。したがって、第２連通路を経て第１搬送路に搬送されてきた現像剤と、供給口部を介して供給された新規の現像剤とは、ともに前記長手方向他端側へ搬送され、その後、回転筒内に流入することになる。これによって、本発明に係る現像装置は、現像槽内に既に貯留されていた現像剤と、供給口部を介して供給された新規の現像剤とを充分に混合することができるので、現像剤の帯電不足を抑えることができる。
【００２９】
また本発明によれば、現像装置は補助槽を備え、この補助槽の内部空間は、第１搬送路の前記長手方向他端側の部分と連通している。そして、第１現像剤搬送部の回転筒は、補助槽まで延びている。よって、供給口部を介して供給された新規の現像剤は、外螺旋羽根によって補助槽内まで搬送された後、取込口部を経て、回転筒内に流入することになる。したがって、本発明に係る現像装置によれば、新規の現像剤が搬送される距離をさらに延ばすことができ、これによって、新規の現像剤と補助槽の内壁や回転筒の外周部との間で摩擦が生じる機会をさらに増やすことができる。その結果、新規の現像剤をさらに確実に帯電させることができる。
【００３０】
また本発明によれば、外螺旋羽根は、内径が一定で、かつ、前記長手方向他端側に向かうにつれて外径が連続的に小さくなる形状に形成され、補助槽は、外螺旋羽根の外周部に沿うように、この外周部に対して所定の間隔を空けて形成される第１周壁部を含む。したがって、外螺旋羽根が固定される回転筒と第１周壁部の鉛直方向下部との間の距離は、前記長手方向他端側に向かうにつれて徐々に小さくなる。よって、供給口部を介して供給された新規の現像剤のうち、第１周壁部の鉛直方向下部に接する現像剤は、外螺旋羽根によって前記長手方向他端側に搬送されるうちに、第１周壁部に沿って、回転筒によって鉛直方向上方に押し上げられる。その結果、外螺旋羽根により搬送される現像剤と第１周壁部との間に摩擦が生じ、現像剤が帯電する。このように、本発明に係る現像装置によれば、供給口部を介して供給された新規の現像剤を、より確実に帯電させることができる。
【００３１】
また本発明によれば、第１現像剤搬送部は、内螺旋羽根の前記長手方向他端側に連なり、内径が一定で、かつ、前記長手方向他端側に向かうにつれて外径が連続的に小さくなる形状（すなわち、前記長手方向一端側に向かうにつれて外径が連続的に大きくなる形状）の上流側螺旋羽根を含み、補助槽は、上流側螺旋羽根の外周部に沿うように、この外周部に対して所定の間隔を空けて形成される第２周壁部を含む。したがって、上流側螺旋羽根による前記長手方向一端側への現像剤の搬送量は、前記長手方向一端側へ向かうにつれて次第に大きくなる。これによって、回転筒の取込口部付近の現像剤の搬送量を大きく保ちながら、上流側螺旋羽根全体による現像剤の搬送速度を緩やかにすることができる。その結果、回転筒の内側まで、現像剤をより確実に案内することができる。
【００３２】
また本発明によれば、第１現像剤搬送部は、前記長手方向両端に、円柱形状の支持部材をそれぞれ含む。よって、支持部材を介して第１現像剤搬送部を駆動することができるので、現像装置の駆動機構を簡素化することができる。
【００３３】
また本発明によれば、現像槽は、第１搬送路下流側底部よりも前記長手方向他端側において第１搬送路下流側底部に隣接し、かつ、第１搬送路下流側底部よりも、鉛直方向上方に突出する下流側障壁部を含む。よって、本発明に係る現像装置は、第１現像剤搬送部と現像槽の内壁との間に、前記長手方向一端側から現像剤が入り込むことを抑えることができる。
【００３４】
また本発明によれば、現像槽は、第１搬送路上流側底部よりも前記長手方向一端側において第１搬送路上流側底部に隣接し、かつ、第１搬送路上流側底部よりも、鉛直方向上方に突出する上流側障壁部を含む。よって、本発明に係る現像装置は、第１現像剤搬送部と現像槽の内壁との間に、前記長手方向他端側から現像剤が入り込むことを抑えることができる。
【００３５】
また本発明によれば、画像形成装置は前記現像装置を備えており、前記現像装置によって、現像剤を充分に帯電させた上で、画像を形成する。したがって、本発明に係る画像形成装置は、安定して良好な画像を形成することができる。
【図面の簡単な説明】
【００３６】
【図１】画像形成装置１００の構成を示す模式図である。
【図２】トナーカートリッジ３００の構成を示す模式図である。
【図３】図２に示す線Ａ−Ａを切断面線とするトナーカートリッジ３００の断面図である。
【図４】現像装置２００の構成を示す模式図である。
【図５】図４に示す線Ｂ−Ｂを切断面線とする現像装置２００の断面図である。
【図６】図４に示す線Ｃ−Ｃを切断面線とする現像装置２００の断面図である。
【図７】図５に示す線Ｄ−Ｄを切断面線とする現像装置２００の断面図である。
【図８】図５に示す線Ｅ−Ｅを切断面線とする現像装置２００の断面図である。
【図９】第１現像剤搬送部２０２の全体を示す模式図である。
【図１０】回転筒２０２ｄの内側を示す模式図である。
【図１１】第１現像剤搬送部２０２を分解して示す図である。
【図１２】１周期分の一般螺旋羽根面について説明するための図である。
【図１３】１周期分の錐状一般螺旋羽根面について説明するための図である。
【発明を実施するための形態】
【００３７】
はじめに、本発明の実施形態である現像装置２００を備える画像形成装置１００について説明する。図１は、画像形成装置１００の構成を示す模式図である。画像形成装置１００は、複写機能、プリンタ機能、およびファクシミリ機能を併せ持つ複合機であり、伝達される画像情報に応じて、記録媒体上にフルカラーまたはモノクロの画像を形成する。画像形成装置１００は、コピアモード（複写モード）、プリンタモード、およびファクシミリモードという３種の印刷モードを有しており、図示しない操作部からの操作入力、パーソナルコンピュータ、携帯端末装置、情報記録媒体、メモリ装置を用いた外部機器などからの印刷ジョブの受信に応じて、図示しない制御ユニット部によって、印刷モードが選択される。
【００３８】
画像形成装置１００は、トナー像形成部２０と、転写部３０と、定着部４０と、記録媒体供給部５０と、排出部６０と、図示しない制御ユニット部とを含む。トナー像形成部２０は、感光体ドラム２１ｂ，２１ｃ，２１ｍ，２１ｙと、帯電部２２ｂ，２２ｃ，２２ｍ，２２ｙと、露光ユニット２３と、現像装置２００ｂ，２００ｃ，２００ｍ，２００ｙと、クリーニングユニット２５ｂ，２５ｃ，２５ｍ，２５ｙと、トナーカートリッジ３００ｂ，３００ｃ，３００ｍ，３００ｙと、トナー供給パイプ２５０ｂ，２５０ｃ，２５０ｍ，２５０ｙとを含む。転写部３０は、中間転写ベルト３１と、駆動ローラ３２と、従動ローラ３３と、中間転写ローラ３４ｂ，３４ｃ，３４ｍ，３４ｙと、転写ベルトクリーニングユニット３５と、転写ローラ３６とを含む。
【００３９】
感光体ドラム２１、帯電部２２、現像装置２００、クリーニングユニット２５、トナーカートリッジ３００、トナー供給パイプ２５０、および中間転写ローラ３４は、カラー画像情報に含まれるブラック（ｂ）、シアン（ｃ）、マゼンタ（ｍ）、およびイエロー（ｙ）の各色の画像情報に対応するために、それぞれ４つずつ設けられる。本明細書中において、各色に応じて４つずつ設けられる各部材を区別する場合は、各部材を表す数字の末尾に各色を表すアルファベットを付して参照符号とし、各部材を総称する場合は、各部材を表す数字のみを参照符号とする。
【００４０】
感光体ドラム２１は、図示しない駆動部によって軸線回りに回転可能に支持され、図示しない導電性基体と、この導電性基体の表面に形成される光導電層とを含む。導電性基体は種々の形状を採ることができ、たとえば、円筒状、円柱状、薄膜シート状などを挙げることができる。光導電層は、光を照射されることで導電性を示す材料によって形成される。感光体ドラム２１としては、たとえば、アルミニウムで形成された円筒状部材（導電性基体）と、この円筒状部材の外周面上に形成される、アモルファスシリコン（ａ−Ｓｉ）、セレン（Ｓｅ）、または有機光半導体（ＯＰＣ）からなる薄膜（光導電層）とを含むものを用いることができる。
【００４１】
帯電部２２、現像装置２００、およびクリーニングユニット２５は、感光体ドラム２１の回転方向回りに、この順序で配置され、帯電部２２は、現像装置２００およびクリーニングユニット２５よりも鉛直方向下方に配置される。
【００４２】
帯電部２２は、感光体ドラム２１表面を所定の極性および電位に帯電させる装置である。帯電部２２は、感光体ドラム２１に臨む位置に、感光体ドラム２１の長手方向に沿って設置される。接触帯電方式の場合、帯電部２２は、感光体ドラム２１表面に接するように設置される。非接触帯電方式の場合、帯電部２２は、感光体ドラム２１表面から離隔するように設置される。
【００４３】
帯電部２２は、現像装置２００、クリーニングユニット２５などとともに、感光体ドラム２１の周囲に設置される。帯電部２２は、現像装置２００、クリーニングユニット２５などよりも、感光体ドラム２１に近い位置に設置されることが好ましい。これによって、感光体ドラム２１の帯電不良の発生を確実に防止することができる。
【００４４】
帯電部２２としては、ブラシ型帯電装置、ローラ型帯電装置、コロナ放電装置、イオン発生装置などを使用できる。ブラシ型帯電装置およびローラ型帯電装置は、接触帯電方式の帯電装置である。ブラシ型帯電装置には、帯電ブラシを用いるもの、磁気ブラシを用いるものなどがある。コロナ放電装置およびイオン発生装置は、非接触帯電方式の帯電装置である。コロナ放電装置には、ワイヤ状の放電電極を用いるもの、鋸歯状の放電電極を用いるもの、針状の放電電極を用いるものなどがある。
【００４５】
露光ユニット２３は、露光ユニット２３から出射される光が、帯電部２２と現像装置２００との間を通過して感光体ドラム２１の表面に照射されるように配置される。露光ユニット２３は、帯電状態にある感光体ドラム２１ｂ，２１ｃ，２１ｍ，２１ｙ表面に、各色の画像情報に対応するレーザ光をそれぞれ照射することによって、感光体ドラム２１ｂ，２１ｃ，２１ｍ，２１ｙそれぞれの表面に、各色の画像情報に対応する静電潜像を形成する。露光ユニット２３には、たとえば、レーザ照射部および複数の反射ミラーを備えるレーザスキャニングユニット（ＬＳＵ）を使用できる。露光ユニット２３としては、ＬＥＤ（Ｌｉｇｈｔ  Ｅｍｉｔｔｉｎｇ  Ｄｉｏｄｅ）アレイ、液晶シャッタと光源とを適宜組み合わせたユニットなどを用いてもよい。
【００４６】
現像装置２００は、感光体ドラム２１上に形成された静電潜像をトナーによって現像することで、感光体ドラム２１上にトナー像を形成する装置である。現像装置２００の鉛直方向上部には、筒状部材であるトナー供給パイプ２５０が接続される。現像装置２００の詳細については後述する。
【００４７】
トナーカートリッジ３００は、現像装置２００よりも鉛直方向上方に配され、未使用のトナーを貯蔵する。トナーカートリッジ３００の鉛直方向下部にはトナー供給パイプ２５０が接続される。トナーカートリッジ３００は、トナー供給パイプ２５０を介して、現像装置２００へトナーを供給する。トナーカートリッジ３００の詳細については後述する。
【００４８】
クリーニングユニット２５は、感光体ドラム２１から中間転写ベルト３１にトナー像が転写された後に、感光体ドラム２１の表面に残留するトナーを除去し、感光体ドラム２１の表面を清浄化する部材である。クリーニングユニット２５としては、たとえば、トナーを掻き取るための板状部材と、掻き取ったトナーを回収する容器状部材とが用いられる。
【００４９】
トナー像形成部２０によれば、帯電部２２によって均一な帯電状態にある感光体ドラム２１の表面に、露光ユニット２３から画像情報に応じたレーザ光が照射されて静電潜像が形成される。感光体ドラム２１上の静電潜像に現像装置２００からトナーが供給されることでトナー像が形成される。このトナー像は後述する中間転写ベルト３１に転写される。トナー像が中間転写ベルト３１に転写された後に、感光体ドラム２１表面に残留するトナーは、クリーニングユニット２５によって除去される。
【００５０】
中間転写ベルト３１は、感光体ドラム２１の鉛直方向上方に配置される無端ベルト状部材である。中間転写ベルト３１は、駆動ローラ３２と従動ローラ３３とによって張架されてループ状の経路を形成し、矢符Ａ４方向に移動する。
【００５１】
駆動ローラ３２は、図示しない駆動部によってその軸線回りに回転可能に設けられる。駆動ローラ３２は、その回転によって、中間転写ベルト３１を矢符Ａ４方向へ移動させる。従動ローラ３３は、駆動ローラ３２の回転に従動して回転可能に設けられ、中間転写ベルト３１が弛まないように、中間転写ベルト３１に一定の張力を発生させる。
【００５２】
中間転写ローラ３４は、中間転写ベルト３１を介して感光体ドラム２１に圧接し、かつ図示しない駆動部によってその軸線回りに回転可能に設けられる。中間転写ローラ３４としては、たとえば、直径８ｍｍ〜１０ｍｍの金属（たとえば、ステンレス）ローラの表面に、導電性の弾性部材が形成されたものを用いることができる。中間転写ローラ３４は、転写バイアスを印加する図示しない電源が接続され、感光体ドラム２１表面のトナー像を中間転写ベルト３１に転写する機能を有する。
【００５３】
転写ローラ３６は、中間転写ベルト３１を介して駆動ローラ３２に圧接し、図示しない駆動部によって軸線回りに回転可能に設けられる。転写ローラ３６と駆動ローラ３２との圧接部（転写ニップ部）において、中間転写ベルト３１に担持されて搬送されるトナー像は、後述する記録媒体供給部５０から送給される記録媒体に転写される。
【００５４】
転写ベルトクリーニングユニット３５は、中間転写ベルト３１を介して従動ローラ３３に対向し、中間転写ベルト３１のトナー像担持面に接触するように設けられる。転写ベルトクリーニングユニット３５は、記録媒体へのトナー像の転写後に、中間転写ベルト３１表面のトナーを除去し回収するために設けられる。記録媒体へのトナー像の転写後に中間転写ベルト３１にトナーが付着したまま残っていると、中間転写ベルト３１の移動によって、残留トナーが転写ローラ３６に付着するおそれがある。転写ローラ３６にトナーが付着すると、そのトナーは、次に転写する記録媒体の裏面を汚染してしまう。
【００５５】
転写部３０によれば、中間転写ベルト３１が感光体ドラム２１に接しながら移動するとき、中間転写ローラ３４に、感光体ドラム２１表面のトナーの帯電極性とは逆極性の転写バイアスが印加され、感光体ドラム２１の表面に形成されたトナー像は、中間転写ベルト３１上へ転写される。感光体ドラム２１ｙ、感光体ドラム２１ｍ、感光体ドラム２１ｃ、感光体ドラム２１ｂでそれぞれ形成される各色のトナー画像が、中間転写ベルト３１上に、この順番で順次重ねて転写されることによって、フルカラートナー像が形成される。中間転写ベルト３１に転写されたトナー像は、中間転写ベルト３１の移動によって転写ニップ部に搬送され、転写ニップ部において、記録媒体に転写される。トナー像が転写された記録媒体は、後述する定着部４０に搬送される。
【００５６】
記録媒体供給部５０は、給紙ボックス５１と、ピックアップローラ５２ａ，５２ｂと、搬送ローラ５３ａ，５３ｂと、レジストローラ５４と、給紙トレイ５５とを含む。給紙ボックス５１は、画像形成装置１００の鉛直方向下部に設けられ、画像形成装置１００内部において記録媒体を貯留する容器状部材である。給紙トレイ５５は、画像形成装置１００外壁面に設けられ、画像形成装置１００外部において記録媒体を貯留するトレイ状部材である。記録媒体としては、普通紙、カラーコピー用紙、オーバーヘッドプロジェクタ用シート、葉書などがある。
【００５７】
ピックアップローラ５２ａは、給紙ボックス５１に貯留される記録媒体を１枚ずつ取り出し、用紙搬送路Ａ１に送給する部材である。搬送ローラ５３ａは互いに圧接するように設けられる一対のローラ状部材であり、用紙搬送路Ａ１において記録媒体をレジストローラ５４に向けて搬送する。ピックアップローラ５２ｂは、給紙トレイ５５に貯留される記録媒体を１枚ずつ取り出し、用紙搬送路Ａ２に送給する部材である。搬送ローラ５３ｂは互いに圧接するように設けられる一対のローラ状部材であり、用紙搬送路Ａ２において記録媒体をレジストローラ５４に向けて搬送する。
【００５８】
レジストローラ５４は、互いに圧接するように設けられる一対のローラ状部材であり、搬送ローラ５３ａ，５３ｂから送給される記録媒体を、中間転写ベルト３１に担持されるトナー像が転写ニップ部に搬送されるのに同期して、転写ニップ部に送給する。
【００５９】
記録媒体供給部５０によれば、中間転写ベルト３１に担持されるトナー像が転写ニップ部に搬送されるのに同期して、給紙ボックス５１または給紙トレイ５５から記録媒体が転写ニップ部に送給され、この記録媒体にトナー像が転写される。
【００６０】
定着部４０は、加熱ローラ４１および加圧ローラ４２を備える。加熱ローラ４１は、所定の定着温度となるように制御される。加圧ローラ４２は、加熱ローラ４１に圧接するローラである。加熱ローラ４１は、加圧ローラ４２とともに記録媒体を加熱しながら挟持することにより、トナー像を構成するトナーを溶融させて記録媒体上に定着させる。トナー像が定着した記録媒体は、後述する排出部６０に搬送される。
【００６１】
排出部６０は、搬送ローラ６１と、排出ローラ６２と、排出トレイ６３とを含む。搬送ローラ６１は、定着部４０よりも鉛直方向上方において、互いに圧接するように設けられる一対のローラ状部材である。搬送ローラ６１は、画像が定着した記録媒体を排出ローラ６２に向けて搬送する。
【００６２】
排出ローラ６２は、互いに圧接するように設けられる一対のローラ状部材である。排出ローラ６２は、片面印刷の場合、片面の印刷が完了した記録媒体を排出トレイ６３に排出する。排出ローラ６２は、両面印刷の場合、片面の印刷が完了した記録媒体を、用紙搬送路Ａ３を介してレジストローラ５４へ搬送し、両面の印刷が完了した記録媒体を排出トレイ６３に排出する。排出トレイ６３は、画像形成装置１００の鉛直方向上面に設けられ、画像が定着した記録媒体を貯留する。
【００６３】
画像形成装置１００は、図示しない制御ユニット部を含む。制御ユニット部は、たとえば、画像形成装置１００の内部空間における鉛直方向上部に設けられ、記憶部と演算部と制御部とを含む。記憶部には、画像形成装置１００の鉛直方向上面に配置される図示しない操作パネルを介した各種設定値、画像形成装置１００内部の各所に配置される図示しないセンサなどからの検知結果、外部機器からの画像情報などが入力される。また、記憶部には、各種処理を実行するプログラムが書き込まれる。各種処理とは、たとえば、記録媒体判定処理、付着量制御処理、定着条件制御処理などである。
【００６４】
記憶部には、この分野で常用されるものを使用でき、たとえば、リードオンリィメモリ（ＲＯＭ）、ランダムアクセスメモリ（ＲＡＭ）、ハードディスクドライブ（ＨＤＤ）などが挙げられる。外部機器には、画像情報の形成または取得が可能であり、かつ画像形成装置１００に電気的に接続可能な電気、電子機器を使用でき、たとえば、コンピュータ、デジタルカメラ、テレビジョン受像機器、ビデオレコーダ、ＤＶＤ（Ｄｉｇｉｔａｌ  Ｖｅｒｓａｔｉｌｅ  Ｄｉｓｃ）レコーダ、ＨＤＤＶＤ（Ｈｉｇｈ−Ｄｅｆｉｎｉｔｉｏｎ  Ｄｉｇｉｔａｌ  Ｖｅｒｓａｔｉｌｅ  Ｄｉｓｃ）レコーダ、ブルーレイディスクレコーダ、ファクシミリ装置、携帯端末装置などが挙げられる。
【００６５】
演算部は、記憶部に書き込まれる各種データ（画像形成命令、検知結果、画像情報など）および各種処理のプログラムを取り出し、各種判定を行う。制御部は、演算部の判定結果に応じて画像形成装置１００に設けられる各装置に制御信号を送付し、動作制御を行う。
【００６６】
制御部および演算部は中央処理装置（ＣＰＵ、Ｃｅｎｔｒａｌ  Ｐｒｏｃｅｓｓｉｎｇ  Ｕｎｉｔ）を備えるマイクロコンピュータ、マイクロプロセッサなどによって実現される処理回路を含む。制御ユニット部は、この処理回路とともに主電源を含み、電源は制御ユニット部だけでなく、画像形成装置１００に設けられる各装置にも電力を供給する。
【００６７】
図２は、トナーカートリッジ３００の構成を示す模式図である。図３は、図２に示す線Ａ−Ａを切断面線とするトナーカートリッジ３００の断面図である。トナーカートリッジ３００は、トナー供給パイプ２５０を介して、現像装置２００へトナーを供給する装置である。トナーカートリッジ３００は、トナー収容容器３０１と、トナー汲み上げ部材３０２と、トナー排出部材３０３と、トナー排出容器３０４とを含む。
【００６８】
トナー収容容器３０１は、略半円柱状の内部空間を有する容器状部材であり、その内部空間において、トナー汲み上げ部材３０２を回転自在に支持し、未使用のトナーを収容する。トナー排出容器３０４は、トナー収容容器３０１の長手方向に沿って設けられる略半円柱状の内部空間を有する容器状部材であり、その内部空間において、トナー排出部材３０３を回転自在に支持する。トナー収容容器３０１の内部空間とトナー排出容器３０４の内部空間とは、トナー収容容器３０１の長手方向に沿って形成される連通口３０５を介して連通する。トナー排出容器３０４は、その鉛直方向下部に、排出口３０６が形成される。トナー排出容器３０４には、排出口３０６において、トナー供給パイプ２５０が接続される。
【００６９】
トナー汲み上げ部材３０２は、回転軸３０２ａと、基体３０２ｂと、摺動部３０２ｃとを含む。回転軸３０２ａは、トナー収容容器３０１の長手方向に沿って延びる円柱状の部材である。基体３０２ｂは、トナー収容容器３０１の長手方向に沿って延びる板状の部材であり、その幅方向および厚さ方向の中央部において、回転軸３０２ａに取り付けられる。摺動部３０２ｃは、基体３０２ｂの幅方向両端部に取り付けられる可撓性を有する部材であり、たとえば、ポリエチレンテレフタレート（ＰＥＴ）から形成される。トナー汲み上げ部材３０２は、回転軸３０２ａがその軸線回りに回転するのに伴って基体３０２ｂが回転運動し、これによって基体３０２ｂの幅方向両端部に設けられる摺動部３０２ｃがトナー収容容器３０１の内壁面を摺擦することで、トナー収容容器３０１内のトナーを、トナー排出容器３０４へ汲み上げる。
【００７０】
トナー排出部材３０３は、トナー排出容器３０４内のトナーを排出口３０６に向けて搬送する部材である。トナー排出部材３０３は、トナー排出回転軸３０３ａと、このトナー排出回転軸３０３ａを取り巻いて設けられるトナー排出羽根３０３ｂとを含む、オーガスクリュー状部材である。
【００７１】
トナーカートリッジ３００によれば、トナー収容容器３０１内の未使用トナーが、トナー汲み上げ部材３０２によってトナー排出容器３０４に汲み上げられる。そして、トナー排出容器３０４に汲み上げられたトナーは、トナー排出部材３０３によって排出口３０６に搬送される。排出口３０６に搬送されたトナーは、この排出口３０６からトナー排出容器３０４外へ排出され、トナー供給パイプ２５０を介して、現像装置２００に供給される。
【００７２】
図４は、現像装置２００の構成を示す模式図である。図５は、図４に示す線Ｂ−Ｂを切断面線とする現像装置２００の断面図である。図６は、図４に示す線Ｃ−Ｃを切断面線とする現像装置２００の断面図である。図７は、図５に示す線Ｄ−Ｄを切断面線とする現像装置２００の断面図である。図８は、図５に示す線Ｅ−Ｅを切断面線とする現像装置２００の断面図である。現像装置２００は、感光体ドラム２１の表面にトナーを供給することで、感光体ドラム２１の表面に形成された静電潜像を現像する装置である。現像装置２００は、現像槽２０１と、第１現像剤搬送部２０２と、第２現像剤搬送部２０３と、現像ローラ２０４と、現像槽カバー２０５と、ドクターブレード２０６と、隔壁２０７と、トナー濃度検知センサ２０８と、補助槽２０９とを含む。
【００７３】
現像槽２０１は、内部空間を有する部材であり、その内部空間に現像剤を貯留する。本発明において用いられる現像剤としては、トナーのみからなる１成分現像剤であっても、トナーとキャリアとを含む２成分現像剤であってもよい。
【００７４】
現像槽２０１には、その鉛直方向上方に現像槽カバー２０５が設けられ、内部空間に、第１現像剤搬送部２０２、第２現像剤搬送部２０３、現像ローラ２０４、ドクターブレード２０６、および隔壁２０７が設けられる。また、現像槽２０１の鉛直方向下部（底部）には、トナー濃度検知センサ２０８が設けられる。さらに、現像槽２０１は、感光体ドラム２１と現像ローラ２０４との間に開口部が設けられている。
【００７５】
現像槽２０１の長手方向における長さＬ１は、３５０ｍｍ〜４５０ｍｍ程度である。また、現像槽２０１の幅方向における長さＬ２は、７０ｍｍ〜１００ｍｍ程度である。
【００７６】
現像ローラ２０４は、マグネットローラを含み、現像槽２０１内の現像剤を表面に担持して、担持した現像剤に含まれるトナーを感光体ドラム２１へ供給する。現像ローラ２０４には、図示しない電源が接続され、現像バイアス電圧が印加される。現像ローラ２０４に担持されたトナーは、感光体ドラム２１近傍において、現像バイアス電圧による静電気力によって、感光体ドラム２１へ移動する。
【００７７】
ドクターブレード２０６は、現像ローラ２０４の軸線方向に延びる板状部材であり、その幅方向の一端が現像槽２０１に固定され、かつ他端が現像ローラ２０４の表面に対して間隙を有するように設けられる。ドクターブレード２０６は、現像ローラ２０４の表面に対して間隙を有して設けられることで、現像ローラ２０４に担持される現像剤の量を所定量に規制する。ドクターブレード２０６の材料としては、ステンレス鋼、アルミニウム、合成樹脂などを使用できる。
【００７８】
隔壁２０７は、現像槽２０１の幅方向略中央部において、現像槽２０１の長手方向に沿って延びる長手形状の部材である。隔壁２０７の鉛直方向上部は、現像剤が溜まることを防ぐために、鉛直方向上部が薄くなるように鉛直方向に対して斜めに形成されている。隔壁２０７は、現像槽２０１の底部と現像槽カバー２０５との間に設けられ、かつ、長手方向両端部が現像槽２０１の内壁面から離間するように設けられる。隔壁２０７によって、現像槽２０１の内部空間は、第１搬送路Ｐと、第２搬送路Ｑと、第１連通路Ｒと、第２連通路Ｓとに区分されている。
【００７９】
第２搬送路Ｑは、隔壁２０７の長手方向に沿って延びる略半円柱状の空間であって、現像ローラ２０４に臨む空間である。第１搬送路Ｐは、隔壁２０７の長手方向に沿って延びる略半円柱状の空間であって、隔壁２０７を挟んで第２搬送路Ｑに対向する空間である。第１連通路Ｒは、隔壁２０７の長手方向一端部２０７ａ側において、第１搬送路Ｐと第２搬送路Ｑとを連通する空間である。第２連通路Ｓは、隔壁２０７の長手方向他端部２０７ｂ側において、第１搬送路Ｐと第２搬送路Ｑとを連通する空間である。
【００８０】
現像槽カバー２０５は、現像槽２０１の鉛直方向上方に着脱自在に設けられ、供給口部２０５ａを有する。現像槽カバー２０５には、供給口部２０５ａにおいて、トナー供給パイプ２５０が接続される。供給口部２０５ａは、現像槽２０１にトナーを供給するための開口が形成される開口部であり、トナーカートリッジ３００に収容されているトナーは、トナー供給パイプ２５０およびこの開口を経て、現像槽２０１内に供給される。
【００８１】
供給口部２０５ａは、後述する外螺旋羽根２０２ｂの、隔壁２０７の長手方向における中央部の鉛直方向上方に設けられる。供給口部２０５ａに形成される開口は、長辺の長さが２０ｍｍ〜３０ｍｍ程度、短辺の長さが１５ｍｍ〜２５ｍｍ程度の略矩形状である。
【００８２】
第１現像剤搬送部２０２は、第１搬送路Ｐ内に設けられる。第１現像剤搬送部２０２は、隔壁２０７の長手方向他端部２０７ｂ側から長手方向一端部２０７ａ側へ向けて、現像槽２０１内の現像剤を搬送する。以下では、第１現像剤搬送部２０２による現像剤の搬送方向を、搬送方向Ｘと称する。
【００８３】
第１現像剤搬送部２０２は、内螺旋羽根２０２ａと外螺旋羽根２０２ｂと上流側螺旋羽根２０２ｃと回転筒２０２ｄと送出部２０２ｅと支持部材２０２ｆと第１ギア２０２ｇとを含む。第１現像剤搬送部２０２は、搬送方向Ｘに延びており、搬送方向Ｘにおける上流側および下流側に、円柱形状の支持部材２０２ｆをそれぞれ有している。２つの支持部材２０２ｆのうち、第２連通路Ｓ側の支持部材２０２ｆは、後述する補助槽２０９の内壁に回転自在に支持される。２つの支持部材２０２ｆのうち、第１連通路Ｒ側の支持部材２０２ｆは、現像槽２０１の外側において第１ギア２０２ｇと接続される。
【００８４】
内螺旋羽根２０２ａは、搬送方向Ｘに延びる仮想的な円柱の側面を取り巻く形状であり、支持部材２０２ｆおよび第１ギア２０２ｇを介して、モータなどの駆動部によって、この仮想的な円柱の軸線を中心として、６０ｒｐｍ〜１８０ｒｐｍで、回転方向Ｇ１に回転運動する。内螺旋羽根２０２ａの回転運動により、第１搬送路Ｐに貯留される現像剤は、全体として、搬送方向Ｘ下流側に搬送される。現像槽カバー２０５の供給口部２０５ａは、第１搬送路Ｐに設けられる第１現像剤搬送部２０２の外螺旋羽根２０２ｂの鉛直方向上方に設けられるので、トナーカートリッジ３００内の未使用のトナーは、まず、第１搬送路Ｐに供給され、その後、第１現像剤搬送部２０２によって、第１搬送路Ｐの搬送方向Ｘ下流側に搬送されることになる。
【００８５】
回転筒２０２ｄは、内螺旋羽根２０２ａの外周部を取り囲み、内螺旋羽根２０２ａとともに回転運動する中空の部材である。回転筒２０２ｄは、搬送方向Ｘに延び、搬送方向Ｘにおける上流側端部および下流側端部に孔が形成される。
【００８６】
外螺旋羽根２０２ｂは、回転筒２０２ｄの外周部の搬送方向Ｘ上流側の部分に固定される。本実施形態では、外螺旋羽根２０２ｂは、第２連通路Ｓに臨む位置に設けられている。外螺旋羽根２０２ｂは、回転筒２０２ｄとともに回転運動することによって、回転筒２０２ｄの外側にある現像剤、より詳細には、回転筒２０２ｄの外周部付近の現像剤を、搬送方向Ｘ上流側に搬送する。これによって、外螺旋羽根２０２ｂは、回転筒２０２ｄの外側にある現像剤を、回転筒２０２ｄの搬送方向Ｘ上流側の孔へと案内する。孔へと案内された現像剤は、内螺旋羽根２０２ａによって搬送方向Ｘ下流側に搬送されることになる。
【００８７】
上流側螺旋羽根２０２ｃは、内螺旋羽根２０２ａの搬送方向Ｘ上流側に連なり、内螺旋羽根２０２ａとともに回転運動することによって、回転筒２０２ｄの外側にある現像剤、より詳細には、回転筒２０２ｄの搬送方向Ｘ上流側の孔付近の現像剤を、搬送方向Ｘ下流側に搬送する。これによって、上流側螺旋羽根２０２ｃは、回転筒２０２ｄの外側にある現像剤を、回転筒２０２ｄの搬送方向Ｘ上流側の孔へと案内する。孔へと案内された現像剤は、内螺旋羽根２０２ａによって搬送方向Ｘ下流側に搬送されることになる。
【００８８】
送出部２０２ｅは、回転筒２０２ｄの外周部の搬送方向Ｘ下流側の部分に固定される。送出部２０２ｅは、回転筒２０２ｄとともに回転運動することによって、回転筒２０２ｄの外側にある現像剤、より詳細には、回転筒２０２ｄの搬送方向Ｘ下流側の孔付近の現像剤を、第１連通路Ｒへと送り出す。本実施形態では、内螺旋羽根２０２ａが回転方向Ｇ１に回転運動することで、送出部２０２ｅが、第１連通路Ｒに臨む位置で、鉛直方向において上方に移動し、現像剤を汲み上げて第１連通路Ｒへと送り出す。第１連通路Ｒへと送り出された現像剤は、第１連通路Ｒを経て、第２搬送路Ｑへ移動することになる。
【００８９】
第２現像剤搬送部２０３は、第２搬送路Ｑ内に設けられる。第２現像剤搬送部２０３は、隔壁２０７の長手方向一端部２０７ａ側から長手方向他端部２０７ｂ側へ向けて、現像槽２０１内の現像剤を搬送する。以下では、第２現像剤搬送部２０３による現像剤の搬送方向を、搬送方向Ｙと称する。
【００９０】
第２現像剤搬送部２０３は、第２螺旋羽根２０３ａと回転軸部材２０３ｂと４つの周方向回転板２０３ｃと第２ギア２０３ｄとを含む。回転軸部材２０３ｂは、搬送方向Ｙに延びる円柱形状の部材であり、その長手方向の一端が現像槽２０１の外側において第２ギア２０３ｄと接続され、その長手方向の他端が現像槽２０１の内壁に回転自在に支持される。本実施形態では、回転軸部材２０３ｂの軸線は、内螺旋羽根２０２ａが取り巻く仮想的な円柱の軸線よりも鉛直方向において上方に設けられる。
【００９１】
第２螺旋羽根２０３ａは、回転軸部材２０３ｂの側面を取り巻く形状であり、回転軸部材２０３ｂおよび第２ギア２０３ｄを介して、モータなどの駆動部によって、回転軸部材２０３ｂの軸線を中心として、６０ｒｐｍ〜１８０ｒｐｍで、回転方向Ｇ２に回転運動する。第２螺旋羽根２０３ａの回転運動により、第２搬送路Ｑに貯留される現像剤は、搬送方向Ｙ下流側に搬送される。
【００９２】
４つの周方向回転板２０３ｃは、同一形状の矩形平板からなり、その長辺部分が回転軸部材２０３ｂに固定される。４つの周方向回転板２０３ｃは、隣り合う２つの周方向回転板２０３ｃの主面が互いに直交するように回転軸部材２０３ｂに固定されており、第２螺旋羽根２０３ａとともに回転方向Ｇ２に回転運動する。第２搬送路Ｑにおいて搬送方向Ｙ上流側から搬送されてくる現像剤は、周方向回転板２０３ｃの回転運動によって第２連通路Ｓ側へ押し出されて第１搬送路Ｐへ移動することになる。なお、本発明の他の実施形態としては、第２現像剤搬送部２０３は、周方向回転板２０３ｃを有さないオーガスクリュー状部材であってもよい。
【００９３】
回転軸部材２０３ｂの軸線から最も遠い第２螺旋羽根２０３ａ上の点までの距離の２倍の値を、この第２螺旋羽根２０３ａの外径Ｌ３と称する。また、回転軸部材２０３ｂの軸線から最も近い第２螺旋羽根２０３ａ上の点までの距離の２倍の値を、この第２螺旋羽根２０３ａの内径Ｌ４と称する。第２螺旋羽根２０３ａの外径Ｌ３は、２０ｍｍ以上４０ｍｍ以下の範囲内で適宜設定され、第２螺旋羽根２０３ａの内径Ｌ４は、５ｍｍ以上１５ｍｍ以下の範囲内で適宜設定される。また、第２螺旋羽根２０３ａの厚さＬ５は、１ｍｍ以上３ｍｍ以下の範囲内で適宜設定される。周方向回転板２０３ｃの長辺部分の長さＬ６は、２０ｍｍ以上４０ｍｍ以下の範囲内で適宜設定され、短辺部分の長さＬ７は、７ｍｍ以上１５ｍｍ以下の範囲内で適宜設定される。
【００９４】
補助槽２０９は、内部空間を有する部材であり、この内部空間は、搬送方向Ｘ上流側において第１搬送路Ｐと連通する。補助槽２０９の内部空間は、搬送方向Ｘ上流側が先細になる略円錐台状である。補助槽２０９の長手方向における長さＬ８は、４０ｍｍ〜６０ｍｍ程度である。
【００９５】
補助槽２０９の内部空間まで、第１現像剤搬送部２０２の回転筒２０２ｄは延びており、補助槽２０９は、回転筒２０２ｄに固定される外螺旋羽根２０２ｂの外周部に沿うように、この外螺旋羽根２０２ｂの外周部に対して１ｍｍ〜２ｍｍ程度の間隔を空けて形成される第１周壁部２０９ａを有している。また、補助槽２０９は、上流側螺旋羽根２０２ｃの外周部に沿うように、この上流側螺旋羽根２０２ｃの外周部に対して１ｍｍ〜２ｍｍ程度の間隔を空けて形成される第２周壁部２０９ｂを有している。第１周壁部２０９ａと第２周壁部２０９ｂとは、連続的に形成される。
【００９６】
トナー濃度検知センサ２０８は、現像槽２０１の底部において、第２現像剤搬送部２０３の鉛直方向下方に装着され、センサ面が第２搬送路Ｑに露出するように設けられる。トナー濃度検知センサ２０８は、図示しないトナー濃度制御部に電気的に接続される。
【００９７】
トナー濃度制御部は、トナー濃度検知センサ２０８が検知するトナー濃度検知結果に応じて、トナー排出部材３０３を回転させ、現像槽２０１内にトナーを供給する制御を行う。より具体的には、トナー濃度制御部は、トナー濃度検知センサ２０８によるトナー濃度検知結果が所定の設定値よりも低いか否か判断し、低いと判断した場合に、トナー排出部材３０３を回転させる駆動部に制御信号を送り、トナー排出部材３０３を所定の期間回転させる。
【００９８】
トナー濃度検知センサ２０８には、図示しない電源が接続される。電源は、トナー濃度検知センサ２０８を駆動させるための駆動電圧、およびトナー濃度検知結果をトナー濃度制御部に出力するための制御電圧を、トナー濃度検知センサ２０８に印加する。電源によるトナー濃度検知センサ２０８への電圧の印加は、図示しない制御部によって制御される。
【００９９】
トナー濃度検知センサ２０８としては、一般的なトナー濃度検知センサを使用でき、たとえば、透過光検知センサ、反射光検知センサ、透磁率検知センサなどを使用できる。これらのトナー濃度検知センサの中でも、透磁率検知センサを使用することが好ましい。透磁率検知センサとしては、たとえば、ＴＳ−Ｌ（商品名、ＴＤＫ株式会社製）、ＴＳ−Ａ（商品名、ＴＤＫ株式会社製）、ＴＳ−Ｋ（商品名、ＴＤＫ株式会社製）などが挙げられる。
【０１００】
以下では、現像槽２０１の底部のうち、第１搬送路Ｐに臨む部分を第１搬送路底部２０１ａと称し、第２搬送路Ｑに臨む部分を第２搬送路底部２０１ｂと称し、第１連通路Ｒに臨む部分を第１連通路底部２０１ｃと称し、第２連通路Ｓに臨む部分を第２連通路底部２０１ｄと称する。
【０１０１】
また、現像槽２０１の底部のうち、第１搬送路Ｐの搬送方向Ｘ上流側部分に臨む部分を第１搬送路上流側底部２０１ｅと称し、この第１搬送路上流側底部２０１ｅと第１搬送路底部２０１ａとの間の部分を上流側障壁部２０１ｆと称する。また、現像槽２０１の底部のうち、第１搬送路Ｐの搬送方向Ｘ下流側部分に臨む部分を第１搬送路下流側底部２０１ｇと称し、この第１搬送路下流側底部２０１ｇと第１搬送路底部２０１ａとの間の部分を下流側障壁部２０１ｈと称する。また、補助槽２０９の底部のうち、第１搬送路上流側底部２０１ｅよりも搬送方向Ｘ上流側においてこの第１搬送路上流側底部２０１ｅに隣接する部分を、補助槽底部２０９ｃと称する。
【０１０２】
第１搬送路底部２０１ａの鉛直方向上面および第２搬送路底部２０１ｂの鉛直方向上面は、略水平に延びる。そして、第１搬送路底部２０１ａの鉛直方向上面に沿って、内螺旋羽根２０２ａが取り巻く仮想的な円柱の軸線が延び、第２搬送路底部２０１ｂの鉛直方向上面に沿って、回転軸部材２０３ｂの軸線が延びる。
【０１０３】
第１連通路底部２０１ｃは、第１搬送路下流側底部２０１ｇと、第２搬送路底部２０１ｂとの間に設けられる。第１連通路底部２０１ｃは、第１搬送路下流側底部２０１ｇおよび第２搬送路底部２０１ｂから遠ざかるにつれて鉛直方向上方に延びて形成される。第１連通路底部２０１ｃの鉛直方向上面２０１ｃａと第１搬送路下流側底部２０１ｇの鉛直方向上面２０１ｇａとの間の、鉛直方向における距離Ｌ９は、８ｍｍ以上２０ｍｍ以下の範囲内で適宜設定される。第１連通路底部２０１ｃの鉛直方向上面２０１ｃａと第２搬送路底部２０１ｂの鉛直方向上面２０１ｂａとの間の、鉛直方向における距離Ｌ１０は、５ｍｍ以上１５ｍｍ以下の範囲内で適宜設定される。
【０１０４】
また、第１連通路底部２０１ｃの鉛直方向上面２０１ｃａは、内螺旋羽根２０２ａが取り巻く仮想的な円柱の軸線よりも、鉛直方向下方に設けられる。第１連通路底部２０１ｃの鉛直方向上面２０１ｃａと内螺旋羽根２０２ａが取り巻く仮想的な円柱の軸線との間の、鉛直方向における距離Ｌ１１は、２ｍｍ以上１０ｍｍ以下の範囲内で適宜設定される。
【０１０５】
また、第１連通路底部２０１ｃの鉛直方向上面２０１ｃａは、第２搬送路Ｑ側の部分よりも第１搬送路Ｐ側の部分が鉛直方向上方となるように傾斜して形成される。
【０１０６】
第２連通路底部２０１ｄは、第１搬送路上流側底部２０１ｅと、第２搬送路底部２０１ｂとの間に設けられる。第２連通路底部２０１ｄの鉛直方向上面２０１ｄａは、第１搬送路Ｐ側の部分よりも第２搬送路Ｑ側の部分が鉛直方向上方となるように傾斜して形成される。
【０１０７】
第１搬送路上流側底部２０１ｅの鉛直方向上面２０１ｅａは、搬送方向Ｘ下流側の部分よりも搬送方向Ｘ上流側の部分が鉛直方向上方となるように傾斜して形成される。補助槽底部２０９ｃの鉛直方向上面２０９ｃａは、第１搬送路上流側底部２０１ｅの鉛直方向上面２０１ｅａの搬送方向Ｘ上流側の部分に連なり、搬送方向Ｘ下流側の部分よりも搬送方向Ｘ上流側の部分が鉛直方向上方となるように傾斜して形成される。第１搬送路上流側底部２０１ｅの鉛直方向上面２０１ｅａの搬送方向Ｘ下流側の端と、補助槽底部２０９ｃの鉛直方向上面２０９ｃａの搬送方向Ｘ上流側の端との間の、鉛直方向における距離Ｌ１２は、５ｍｍ以上２０ｍｍ以下の範囲内で適宜設定される。第１搬送路上流側底部２０１ｅの鉛直方向上面２０１ｅａの搬送方向Ｘ下流側の端と、補助槽底部２０９ｃの鉛直方向上面２０９ｃａの搬送方向Ｘ上流側の端との間の、搬送方向Ｘにおける距離Ｌ１３は、６０ｍｍ以上１００ｍｍ以下の範囲内で適宜設定される。
【０１０８】
上流側障壁部２０１ｆは、第１搬送路上流側底部２０１ｅよりも搬送方向Ｘ下流側においてこの第１搬送路上流側底部２０１ｅに隣接して形成される。また、上流側障壁部２０１ｆは、第１搬送路上流側底部２０１ｅよりも、鉛直方向上方に突出して形成される。第１搬送路上流側底部２０１ｅと上流側障壁部２０１ｆとの間の、鉛直方向における距離Ｌ１４は、７ｍｍ以上１５ｍｍ以下の範囲内で適宜設定される。
【０１０９】
下流側障壁部２０１ｈは、第１搬送路下流側底部２０１ｇよりも搬送方向Ｘ上流側においてこの第１搬送路下流側底部２０１ｇに隣接して形成される。また、下流側障壁部２０１ｈは、第１搬送路下流側底部２０１ｇよりも、鉛直方向上方に突出して形成される。第１搬送路下流側底部２０１ｇと下流側障壁部２０１ｈとの間の、鉛直方向における距離Ｌ１５は、７ｍｍ以上１５ｍｍ以下の範囲内で適宜設定される。
【０１１０】
このように構成される現像装置２００によれば、現像槽２０１内において、現像剤は、第１搬送路Ｐ、第１連通路Ｒ、第２搬送路Ｑ、第２連通路Ｓ、という順序で循環搬送される。循環搬送される現像剤のうちの一部は、第２搬送路Ｑにおいて、現像ローラ２０４の表面に担持され、担持された現像剤中のトナーは、感光体ドラム２１へと移動して順次消費される。所定量のトナーが消費されたことをトナー濃度検知センサ２０８が検知すると、未使用のトナーがトナーカートリッジ３００から第１搬送路Ｐ内へ供給される。供給されたトナーは、第１搬送路Ｐ内で搬送されながら、既に貯留されていた現像剤中に拡散する。
【０１１１】
以下では、第１現像剤搬送部２０２について詳細に説明する。図９は、第１現像剤搬送部２０２の全体を示す模式図である。図１０は、回転筒２０２ｄの内側を示す模式図である。図１１は、第１現像剤搬送部２０２を分解して示す図である。第１現像剤搬送部２０２は、上述したように、内螺旋羽根２０２ａと、外螺旋羽根２０２ｂと、上流側螺旋羽根２０２ｃと、回転筒２０２ｄと、送出部２０２ｅと、支持部材２０２ｆと、第１ギア２０２ｇとを含んでいる。
【０１１２】
内螺旋羽根２０２ａ、外螺旋羽根２０２ｂ、上流側螺旋羽根２０２ｃ、回転筒２０２ｄ、送出部２０２ｅ、支持部材２０２ｆ、および第１ギア２０２ｇは、たとえば、ポリエチレン、ポリプロピレン、ハイインパクトポリスチレン、ＡＢＳ樹脂（アクリロニトリル−ブタジエン−スチレン共重合合成樹脂）などの材料から形成される。内螺旋羽根２０２ａ、外螺旋羽根２０２ｂ、上流側螺旋羽根２０２ｃ、回転筒２０２ｄ、送出部２０２ｅ、支持部材２０２ｆ、および第１ギア２０２ｇの材質が同じである場合、第１現像剤搬送部２０２は一体成形されることが好ましい。
【０１１３】
本実施形態では、内螺旋羽根２０２ａは、一続きの一般螺旋羽根である。本発明において、「一般螺旋羽根」とは、概略的にはオーガスクリューの羽根部分であり、より詳細には一般螺旋羽根面を主面とする所定の厚さの部材である。一般螺旋羽根面は、曲線である螺線に対応する曲面であり、その詳細については後述する。
【０１１４】
本発明において、「螺線」とは、仮想的な円柱の側面上の連続した空間曲線であって、この仮想的な円柱の周方向のうちの一方向に進みながらこの仮想的な円柱の軸線方向のうちの一方向に進む空間曲線である。仮想的な円柱の軸線方向のうちの一方向に見た場合において、螺線が、この仮想的な円柱の軸線方向のうちの一方向に進みながら、この仮想的な円柱の周方向のうちの右回りの方向に進むとき、右回りの螺線であると称し、左回りの方向に進むとき、左回りの螺線であると称する。
【０１１５】
また、螺線のうち、螺線上のすべての点においてリード角が一定となる螺線を特に、「一般螺線」と称する。ここで、螺線上のある点におけるこの螺線の接線と、この螺線が取り巻く仮想的な円柱の軸線方向に対して垂直な面へこの接線を射影してできる直線と、がなす角度が、その点における「リード角」である。リード角は、０°より大きく９０°より小さい角度である。
【０１１６】
本発明において、「一般螺旋羽根面」とは、仮想円柱Ｋ１（以下では、半径をｒ１とする）の側面上の１つの一般螺線Ｃ１（以下では、リード角をθ１とする）に沿って、仮想円柱Ｋ１の外部にある１つの線分Ｊ１を、仮想円柱Ｋ１の径方向におけるこの線分Ｊ１の長さｍ１、および取付角度αを保ったまま、仮想円柱Ｋ１の軸線に平行な一方向Ｄ１に移動させたときの、この線分Ｊ１の軌跡がなす面である。ここで、「取付角度α」とは、仮想円柱Ｋ１の軸線と線分Ｊ１とを含む面において、線分Ｊ１と、この線分Ｊ１と仮想円柱Ｋ１との接点から一方向Ｄ１に延びる半直線と、のなす角度であって、０°より大きく１８０°より小さい角度である。
【０１１７】
以下に、一般螺旋羽根面の一例として、１周期分の一般螺線に沿って線分を移動させたときの一般螺旋羽根面（以下では、「１周期分の一般螺旋羽根面」と表す）を示す。図１２は、１周期分の一般螺旋羽根面について説明するための図である。図１２（ａ）は、仮想円柱Ｋ１の側面と、仮想円柱Ｋ１の側面上の左回りの一般螺線Ｃ１と、一般螺線Ｃ１上を一方向Ｄ１に移動する線分Ｊ１の開始位置および終了位置と、を示している。図１２（ａ）の紙面において最も下側に示す線分Ｊ１は移動の際の開始位置を示し、最も上側に示す線分Ｊ１は終了位置を示している。図１２（ａ）に示すように、仮想円柱Ｋ１の径方向における線分Ｊ１の長さｍ１と、取付角度α（図１２ではα＝９０°）とを一定に保ちながら、一般螺線Ｃ１に沿って一方向Ｄ１に、線分Ｊ１を移動させるとき、この線分Ｊ１の軌跡は図１２（ｂ）に示す一般螺旋羽根面ｎ１となる。図１２（ｂ）において斜線部で示す面が、一般螺旋羽根面ｎ１である。
【０１１８】
図１２（ｂ）に示すように、一般螺旋羽根面ｎ１の外周部は、仮想円柱Ｋ１と軸線が一致する仮想円柱Ｋ２の側面上を一方向Ｄ１に進む左回りの一般螺線となる。ここで、一般螺旋羽根面ｎ１の外周部とは、一般螺旋羽根面ｎ１において仮想円柱Ｋ１の軸線から最も遠い部分である。仮想円柱Ｋ２の半径Ｒ１は、仮想円柱Ｋ１の半径ｒ１と、仮想円柱Ｋ１の径方向における線分Ｊ１の長さｍ１と、の和に等しい。
【０１１９】
このような一般螺旋羽根面を主面とする部材が一般螺旋羽根である。本実施形態のように内螺旋羽根２０２ａとして用いられる場合、一般螺旋羽根は、一般螺旋羽根面ｎ１が搬送方向Ｘ下流側になるように設けられ、この一般螺旋羽根面ｎ１によって現像剤が搬送方向Ｘ下流側に搬送される。ここで、本実施形態では、回転方向Ｇ１は、搬送方向Ｘに見たときに右回りである。よって、一般螺旋羽根面ｎ１によって現像剤を搬送方向Ｘ下流側に搬送するために、一般螺旋羽根は、左回りの一般螺線に沿って線分を移動させたときに形成される一般螺旋羽根面を主面とする部材、すなわち、左回りの一般螺旋羽根である必要がある。
【０１２０】
また、内螺旋羽根２０２ａとして一般螺旋羽根が用いられる場合、内螺旋羽根２０２ａ（一般螺旋羽根）の内径Ｌ１６は、図１２（ａ）に示す仮想円柱Ｋ１の半径ｒ１の２倍の値となり、外径Ｌ１７は、図１２（ｂ）に示す仮想円柱Ｋ２の半径Ｒ１の２倍の値となる。ここで、内螺旋羽根２０２ａ（一般螺旋羽根）の内径Ｌ１６とは、内螺旋羽根２０２ａ（一般螺旋羽根）の内周部と仮想円柱Ｋ１の軸線との間の距離の２倍の値であり、この内周部は、仮想円柱Ｋ１の軸線に垂直な断面において、この仮想円柱Ｋ１の軸線からの距離が最も近くなる内螺旋羽根２０２ａ（一般螺旋羽根）上の一部分である。また、内螺旋羽根２０２ａ（一般螺旋羽根）の外径Ｌ１７とは、内螺旋羽根２０２ａ（一般螺旋羽根）の外周部と仮想円柱Ｋ１の軸線との間の距離の２倍の値であり、この外周部は、仮想円柱Ｋ１の軸線に垂直な断面において、この仮想円柱Ｋ１の軸線からの距離が最も遠くなる内螺旋羽根２０２ａ（一般螺旋羽根）上の一部分である。
【０１２１】
内螺旋羽根２０２ａの内径Ｌ１６は、たとえば、０ｍｍ以上５ｍｍ以下の範囲内で適宜設定でき、外径Ｌ１７は、たとえば、１０ｍｍ以上３０ｍｍ以下の範囲内で適宜設定できる。また、たとえば、取付角度αは９０°でなくともよく、３０°以上１５０°以下の範囲内で適宜設定できる。リード角θ１は、たとえば、２０°以上７０°以下の範囲内で適宜設定できる。また、内螺旋羽根２０２ａの厚さＬ１８は、１ｍｍ以上３ｍｍ以下の範囲内で適宜設定でき、内螺旋羽根２０２ａの長手方向長さＬ１９は、３００ｍｍ以上４００ｍｍ以下の範囲内で適宜設定できる。
【０１２２】
なお、本実施形態では、内螺旋羽根２０２ａの内周部の搬送方向Ｘ下流側端部に、第１連通路Ｒ側の支持部材２０２ｆが固定され、この支持部材２０２ｆの外径と内螺旋羽根２０２ａの内径Ｌ１６とが等しく設定されている。
【０１２３】
このような内螺旋羽根２０２ａの外周部には、この外周部を取り囲むように、回転筒２０２ｄが固定されている。回転筒２０２ｄは、内螺旋羽根２０２ａに固定されているので、この内螺旋羽根２０２ａとともに回転運動する。
【０１２４】
回転筒２０２ｄは、搬送方向Ｘに延びる中空の円柱形状部材である。回転筒２０２ｄの軸線方向長さＬ２０は、たとえば、３００ｍｍ以上４００ｍｍ以下の範囲内で適宜設定できる。また、図１０に示す回転筒２０２ｄの厚さＬ２１は、一様であり、たとえば、１ｍｍ以上２ｍｍ以下の範囲内で適宜設定できる。
【０１２５】
回転筒２０２ｄは、搬送方向Ｘ上流側端部に、取込口部２０２ｄａが設けられる。また、回転筒２０２ｄは、搬送方向Ｘ下流側端部に、吐出口部２０２ｄｂおよび流出開口部２０２ｄｃが設けられる。
【０１２６】
取込口部２０２ｄａは、円柱形状の回転筒２０２ｄの搬送方向Ｘ上流側の底面に設けられる。取込口部２０２ｄａには、回転筒２０２ｄの内側の空間と外側の空間とを連通する略円形状の孔が形成される。現像槽２０１内において回転筒２０２ｄの外側にある現像剤は、取込口部２０２ｄａに形成される孔を経て、この回転筒２０２ｄの内側に流入する。なお、取込口部２０２ｄａに形成される孔は２つ以上であってもよい。
【０１２７】
吐出口部２０２ｄｂは、円柱形状の回転筒２０２ｄの側面の搬送方向Ｘ下流側端部に設けられる。吐出口部２０２ｄｂには、回転筒２０２ｄの内側の空間と外側の空間とを連通する孔が形成される。吐出口部２０２ｄｂに形成される孔は、搬送方向Ｘにおいて、送出部２０２ｅの搬送方向Ｘ一端部２０２ｅａから搬送方向Ｘ他端部２０２ｅｂまでの間に設けられる。換言すれば、送出部２０２ｅの搬送方向Ｘ長さは、吐出口部２０２ｄｂに形成される孔の搬送方向Ｘ長さと等しいか、またはそれ以上である。
【０１２８】
本実施形態では、吐出口部２０２ｄｂに形成される孔は、矩形状である。この矩形状の孔の、搬送方向Ｘ長さＬ２２は、たとえば、２５ｍｍ以上４０ｍｍ以下の範囲内で適宜設定できる。また、この矩形状の孔の、回転筒２０２ｄの周方向における長さＬ２３は、たとえば、７ｍｍ以上１５ｍｍ以下の範囲内で適宜設定できる。
【０１２９】
また本実施形態では、吐出口部２０２ｄｂに形成される孔の数は４つである。４つの孔は、同一形状に形成され、かつ、回転筒２０２ｄの周方向に等間隔に形成される。
【０１３０】
流出開口部２０２ｄｃは、円柱形状の回転筒２０２ｄの搬送方向Ｘ下流側の底面に設けられる。流出開口部２０２ｄｃには、回転筒２０２ｄの内側の空間と外側の空間とを連通する略円形状の孔が形成される。
【０１３１】
回転筒２０２ｄの内側にある現像剤は、吐出口部２０２ｄｂに形成される孔または流出開口部２０２ｄｃに形成される孔を経て、この回転筒２０２ｄの外側に流出する。
【０１３２】
このような回転筒２０２ｄの外側に、外螺旋羽根２０２ｂ、上流側螺旋羽根２０２ｃ、および送出部２０２ｅが設けられる。外螺旋羽根２０２ｂは、回転筒２０２ｄの側面の搬送方向Ｘ上流側端部に固定される。上流側螺旋羽根２０２ｃは、内螺旋羽根２０２ａの搬送方向Ｘ上流側端部に連続的に設けられる。送出部２０２ｅは、回転筒２０２ｄの側面の搬送方向Ｘ下流側端部に固定される。
【０１３３】
外螺旋羽根２０２ｂは、内螺旋羽根２０２ａおよび回転筒２０２ｄとともに回転運動し、この回転運動によって、回転筒２０２ｄの外側にある現像剤を、取込口部２０２ｄａへと案内する。外螺旋羽根２０２ｂは、内径が一定で、かつ、搬送方向Ｘ上流側に向かうにつれて外径が連続的に小さくなる形状である。換言すれば、外螺旋羽根２０２ｂは、内径が一定で、かつ、搬送方向Ｘ下流側に向かうにつれて外径が連続的に大きくなる形状である。
【０１３４】
本実施形態では、外螺旋羽根２０２ｂは、一続きの錐状一般螺旋羽根である。本発明において、「錐状一般螺旋羽根」とは、概略的には、一般螺旋羽根を、その内径を一定に保ちながら、その外径を連続的に変化させた形状の部材である。より詳細には、以下に説明する錐状一般螺旋羽根面を主面とする所定の厚さの部材である。
【０１３５】
本発明において、「錐状一般螺旋羽根面」とは、仮想円柱Ｋ３（以下では、半径をｒ２とする）の側面上の１つの一般螺線Ｃ２（リード角をθ２とする）に沿って、仮想円柱Ｋ３の外部にある１つの線分Ｊ２を、取付角度βを保ったまま、仮想円柱Ｋ３の径方向におけるこの線分Ｊ２の長さｍ２を連続的に大きくなるように変化させながら、仮想円柱Ｋ３の軸線に平行な一方向Ｄ２に移動させたときの、この線分Ｊ２の軌跡がなす面である。ここで、「取付角度β」とは、仮想円柱Ｋ３の軸線と線分Ｊ２とを含む面において、線分Ｊ２と、この線分Ｊ２と仮想円柱Ｋ３との接点から一方向Ｄ２に延びる半直線と、のなす角度であって、０°より大きく１８０°より小さい角度である。
【０１３６】
以下に、錐状一般螺旋羽根面の一例として、１周期分の一般螺線に沿って線分を移動させたときの錐状一般螺旋羽根面（以下では、「１周期分の錐状一般螺旋羽根面」と表す）を示す。図１３は、１周期分の錐状一般螺旋羽根面について説明するための図である。図１３（ａ）は、仮想円柱Ｋ３の側面と、仮想円柱Ｋ３の側面上の右回りの一般螺線Ｃ２と、一般螺線Ｃ２上を一方向Ｄ２に移動する線分Ｊ２の開始位置および終了位置と、を示している。図１３（ａ）の紙面において最も下側に示す線分Ｊ２は移動の際の開始位置を示し、最も上側に示す線分Ｊ２は終了位置を示している。図１３（ａ）に示すように、取付角度β（図１３ではβ＝９０°）を一定に保ちつつ、仮想円柱Ｋ３の径方向における線分Ｊ２の長さｍ２を連続的に大きくなるように変化させながら、一般螺線Ｃ２に沿って一方向Ｄ２に線分Ｊ２を移動させるとき、この線分Ｊ２の軌跡が錐状一般螺旋羽根面となる。
【０１３７】
図１３（ｂ）〜図１３（ｄ）に示すように、錐状一般螺旋羽根面の外周部は、仮想円柱Ｋ３と軸線が一致する仮想錐台の側面に内接する。ここで、本発明において「錐台」とは、面積の異なる２つの底面を有し、軸線がこの２つの底面を通り、かつ、軸線方向のうちの一方向に向かうにつれて外径が連続的に大きくなる立体である。線分Ｊ２の長さｍ１の変化のさせ方によって、錐状一般螺旋羽根面が内接する仮想錐台の形状は異なる。また、本発明において、錐状一般螺旋羽根面の外周部とは、錐状一般螺旋羽根面において仮想錐台の軸線から最も遠い部分である。
【０１３８】
図１３（ｂ）は、仮想直円錐台Ｋ４に内接する錐状一般螺旋羽根面ｎ２を示している。本発明において、「直円錐台」とは、直円錐を底面に平行な平面で二分して得られる立体のうち、円錐ではない方の立体である。一般螺線Ｃ２に沿った単位移動距離当たりの線分Ｊ２の長さｍ２の変化量が一定のとき、線分Ｊ２の軌跡は、図１３（ｂ）において斜線部で示す錐状一般螺旋羽根面ｎ２となり、その外周部は、仮想直円錐台Ｋ４の側面に内接する。
【０１３９】
図１３（ｃ）は、仮想圧縮直円錐台Ｋ５に内接する錐状一般螺旋羽根面ｎ３を示している。本発明において、「圧縮直円錐台」とは、直円錐台の側面を、軸線に近付く向きに湾曲させた形状の立体である。一方向Ｄ２に進むにつれて一般螺線Ｃ２に沿った単位移動距離当たりの線分Ｊ２の長さｍ２の変化量が次第に大きくなるとき、線分Ｊ２の軌跡は、図１３（ｃ）において斜線部で示す錐状一般螺旋羽根面ｎ３となり、その外周部は、仮想圧縮直円錐台Ｋ５の側面に内接する。
【０１４０】
図１３（ｄ）は、仮想膨張直円錐台Ｋ６に内接する錐状一般螺旋羽根面ｎ４を示している。本発明において、「膨張直円錐台」とは、直円錐台の側面を、軸線から離れる向きに湾曲させた形状の立体である。一方向Ｄ２に進むにつれて一般螺線Ｃ２に沿った単位移動距離当たりの線分Ｊ２の長さｍ２の変化量が次第に小さくなるとき、線分Ｊ２の軌跡は、図１３（ｄ）において斜線部で示す錐状一般螺旋羽根面ｎ４となり、その外周部は、仮想膨張直円錐台Ｋ６の側面に内接する。
【０１４１】
このような錐状一般螺旋羽根面を主面とする部材が錐状一般螺旋羽根である。本実施形態のように外螺旋羽根２０２ｂとして用いられる場合、錐状一般螺旋羽根は、錐状一般螺旋羽根面ｎ２，ｎ３，ｎ４が搬送方向Ｘ上流側になるように設けられ、この錐状一般螺旋羽根面ｎ２，ｎ３，ｎ４によって現像剤が搬送方向Ｘ上流側に搬送される。ここで、本実施形態では、回転方向Ｇ１は、搬送方向Ｘに見たときに右回りである。よって、錐状一般螺旋羽根面ｎ２，ｎ３，ｎ４によって現像剤を搬送方向Ｘ上流側に搬送するために、錐状一般螺旋羽根は、右回りの一般螺線に沿って線分を移動させたときに形成される錐状一般螺旋羽根面を主面とする部材、すなわち、右回りの錐状一般螺旋羽根である必要がある。
【０１４２】
また、外螺旋羽根２０２ｂとして錐状一般螺旋羽根が用いられる場合、外螺旋羽根２０２ｂ（錐状一般螺旋羽根）の内径Ｌ２４は、図１３（ａ）に示す仮想円柱Ｋ３の半径ｒ２の２倍の値となり、外径Ｌ２５は、図１３（ｂ）〜図１３（ｃ）に示すように、搬送方向Ｘ下流側に向かうにつれて、２ｍ２の最小値＋２ｒ２から、２ｍ２の最大値＋２ｒ２まで、連続的に変化する。ここで、外螺旋羽根２０２ｂ（錐状一般螺旋羽根）の内径Ｌ２４とは、外螺旋羽根２０２ｂ（錐状一般螺旋羽根）の内周部と仮想円柱Ｋ３の軸線との間の距離の２倍の値であり、この内周部は、仮想円柱Ｋ３の軸線に垂直な断面において、この仮想円柱Ｋ３の軸線からの距離が最も近くなる外螺旋羽根２０２ｂ（錐状一般螺旋羽根）上の一部分である。また、外螺旋羽根２０２ｂ（錐状一般螺旋羽根）の外径Ｌ２５とは、外螺旋羽根２０２ｂ（錐状一般螺旋羽根）の外周部と仮想円柱Ｋ３の軸線との間の距離の２倍の値であり、この外周部は、仮想円柱Ｋ３の軸線に垂直な断面において、この仮想円柱Ｋ３の軸線からの距離が最も遠くなる外螺旋羽根２０２ｂ（錐状一般螺旋羽根）上の一部分である。
【０１４３】
外螺旋羽根２０２ｂの内径Ｌ２４は、たとえば、１８ｍｍ以上２９ｍｍ以下の範囲内で適宜設定できる。外螺旋羽根２０２ｂの外径Ｌ２５の最小値は、たとえば、２０ｍｍ以上３２ｍｍ以下の範囲内で適宜設定でき、最大値は、たとえば、２１ｍｍ以上４０ｍｍ以下の範囲内で適宜設定できる。また、たとえば、取付角度βは９０°でなくともよく、３０°以上１５０°以下の範囲内で適宜設定できる。リード角θ２は、たとえば、２０°以上７０°以下の範囲内で適宜設定できる。また、外螺旋羽根２０２ｂの厚さＬ２６は、１ｍｍ以上３ｍｍ以下の範囲内で適宜設定でき、外螺旋羽根２０２ｂの長手方向長さＬ２７は、回転筒２０２ｄの軸線方向長さＬ２０の４分の１程度の長さであり、たとえば、５０ｍｍ以上１００ｍｍ以下の範囲内で適宜設定できる。
【０１４４】
なお、本実施形態では、外螺旋羽根２０２ｂの内径Ｌ２４は、回転筒２０２ｄの厚さＬ２１の２倍の値と、内螺旋羽根２０２ａの外径Ｌ１７との和に等しく設定されている。
【０１４５】
上流側螺旋羽根２０２ｃは、内螺旋羽根２０２ａとともに回転運動し、この回転運動によって、回転筒２０２ｄの外側における取込口部２０２ｄａ付近の現像剤を、取込口部２０２ｄａへと案内する。上流側螺旋羽根２０２ｃは、内径が一定で、かつ、搬送方向Ｘ上流側に向かうにつれて外径が連続的に小さくなる形状である。換言すれば、上流側螺旋羽根２０２ｃは、内径が一定で、かつ、搬送方向Ｘ下流側に向かうにつれて外径が連続的に大きくなる形状である。
【０１４６】
本実施形態では、上流側螺旋羽根２０２ｃは、一続きの左回りの錐状一般螺旋羽根であり、錐状一般螺旋羽根面ｎ２，ｎ３，ｎ４が搬送方向Ｘ下流側になるように設けられる。上流側螺旋羽根２０２ｃの内径Ｌ２８は、たとえば、５ｍｍ以上１５ｍｍ以下の範囲内で適宜設定でき、外径Ｌ２９の最小値は、たとえば、５ｍｍ以上１８ｍｍ以下の範囲内で適宜設定でき、最大値は、たとえば、２０ｍｍ以上３０ｍｍ以下の範囲内で適宜設定できる。また、たとえば、図１３を用いて説明した取付角度βは、３０°以上１５０°以下の範囲内で適宜設定できる。リード角θ２は、たとえば、２０°以上７０°以下の範囲内で適宜設定できる。また、上流側螺旋羽根２０２ｃの厚さＬ３０は、１ｍｍ以上３ｍｍ以下の範囲内で適宜設定でき、上流側螺旋羽根２０２ｃの長手方向長さＬ３１は、３０ｍｍ以上５０ｍｍ以下の範囲内で適宜設定できる。
【０１４７】
なお、本実施形態では、上流側螺旋羽根２０２ｃの内径Ｌ２８は、内螺旋羽根２０２ａの内径Ｌ１６に等しく設定されており、上流側螺旋羽根２０２ｃと内螺旋羽根２０２ａとは滑らかに連なる。また、本実施形態では、上流側螺旋羽根２０２ｃの内周部に、第２連通路Ｓ側の支持部材２０２ｆが固定され、この支持部材２０２ｆの外径と上流側螺旋羽根２０２ｃの内径Ｌ２８とが等しく設定されている。
【０１４８】
送出部２０２ｅは、内螺旋羽根２０２ａおよび回転筒２０２ｄとともに回転運動し、この回転運動によって、回転筒２０２ｄの外側における吐出口部２０２ｄｂ付近の現像剤を、第１連通路Ｒへと送り出す。
【０１４９】
本実施形態では、送出部２０２ｅは、４つの同一形状の矩形平板から構成される。送出部２０２ｅを構成する４つの矩形平板は、吐出口部２０２ｄｂに形成される４つの孔のうち、回転筒２０２ｄの周方向において隣接する２つの孔の間にそれぞれ１つずつ設けられる。より詳細には、各矩形平板は、回転筒２０２ｄの周方向において等間隔に設けられ、かつ、隣接する２つの孔のうち、回転方向Ｇ１において上流側に位置する孔の、回転方向Ｇ１下流端に隣接して設けられる。
【０１５０】
送出部２０２ｅを構成する各矩形平板は、その長辺部分が回転筒２０２ｄの側面に固定される。本実施形態では、各矩形平板は、その主面が、回転筒２０２ｄの径方向および軸線方向にのみ延びて設けられる。各矩形平板の長辺部分の長さは、吐出口部２０２ｄｂに形成される矩形状の孔の搬送方向Ｘ長さＬ２２と等しいか、またはそれ以上であり、短辺部分の長さＬ３２は、５ｍｍ以上１０ｍｍ以下の範囲内で適宜設定される。
【０１５１】
このような本実施形態に対して、本発明の他の実施形態としては、送出部２０２ｅを構成する各矩形平板は、その主面が、回転筒２０２ｄの径方向、軸線方向、および回転方向Ｇ１に延びて設けられてもよい。また、本発明の他の実施形態としては、送出部２０２ｅを構成する各部材が、互いに異なる形状であってもよい。また、この部材の形状は、矩形平板以外、たとえば、正方形平板であってもよい。さらに、この部材の設けられる数は、吐出口部２０２ｄｂに形成される孔の数にかかわらず、３つ以下または５つ以上であってもよい。
【０１５２】
このように構成される第１現像剤搬送部２０２を備える現像装置２００によれば、現像槽２０１における第１搬送路Ｐ内の現像剤は、搬送方向Ｘ上流側において、回転筒２０２ｄの取込口部２０２ｄａを経てこの回転筒２０２ｄの内側に流入する。そして、現像剤は、回転筒２０２ｄの内側の内螺旋羽根２０２ａによって搬送方向Ｘ下流側へ搬送され、回転筒２０２ｄの吐出口部２０２ｄｂを経て回転筒２０２ｄの外側に流出することになる。このとき、回転筒２０２ｄは内螺旋羽根２０２ａとともに回転運動しており、この回転運動によって、内螺旋羽根２０２ａにより搬送される現像剤と回転筒２０２ｄの内周壁との間に摩擦が生じ、その結果、現像剤が帯電する。
【０１５３】
さらに、吐出口部２０２ｄｂから流出する現像剤は、吐出口部２０２ｄｂに形成される孔の搬送方向Ｘ長さと等しいか、またはそれ以上の長さを有する送出部２０２ｅによって第１連通路Ｒへと送り出される。したがって、内螺旋羽根２０２ａと送出部２０２ｅとによって現像剤が挟まれて圧縮されることを抑えることができ、その結果、現像剤を充分に帯電させた状態で円滑に搬送することができる。
【０１５４】
よって、本発明に係る現像装置２００は、現像剤を充分に帯電させて、第１搬送路Ｐ内を搬送することができ、画像形成装置１００によって良好な画像を形成することができる。また、現像装置２００は、トナーカートリッジ３００から現像槽２０１に供給されたばかりの新規のトナーであっても、第１現像剤搬送部２０２によって、迅速かつ充分に帯電させることができる。
【０１５５】
なお、現像槽２０１に貯留される現像剤がトナーとキャリアとからなる２成分現像剤である場合、２成分現像剤が内螺旋羽根２０２ａにより搬送されるとき、２成分現像剤と回転筒２０２ｄの内周壁との間の摩擦によって、２成分現像剤は攪拌される。したがって、現像装置２００によれば、トナーとキャリアとを充分に混合することができる。また、現像装置２００は、トナーカートリッジ３００から現像槽２０１に供給されたばかりの新規のトナーであっても、第１現像剤搬送部２０２によって、迅速かつ充分に、キャリアと混合することができる。
【０１５６】
本実施形態では、内螺旋羽根２０２ａが回転方向Ｇ１に回転運動することで、送出部２０２ｅが、第１連通路Ｒに臨む位置で、鉛直方向において上方に移動し、現像剤を汲み上げて第１連通路Ｒへと送り出す。したがって、現像装置２００は、吐出口部２０２ｄｂから流出した現像剤を速やかに第１連通路Ｒへと導くことができるので、現像剤に生じるストレスを抑えることができる。
【０１５７】
また本実施形態では、現像槽２０１は、第１搬送路下流側底部２０１ｇと第２搬送路底部２０１ｂとの間に設けられ、第１搬送路下流側底部２０１ｇおよび第２搬送路底部２０１ｂから遠ざかるにつれて鉛直方向上方に延びて形成される第１連通路底部２０１ｃを有する。したがって、現像装置２００は、現像剤が第２搬送路Ｑから第１連通路Ｒを経て第１搬送路Ｐへと移動することを抑えることができ、現像剤を円滑に搬送することができる。
【０１５８】
また本実施形態では、第１連通路底部２０１ｃの鉛直方向上面２０１ｃａは、内螺旋羽根２０２ａが取り巻く仮想的な円柱の軸線よりも、鉛直方向下方に設けられる。これによって、送出部２０２ｅ上を滑り落ちる現像剤が、第１連通路Ｒを経て第２搬送路Ｑへと移動することになるので、現像装置２００は、現像剤をより円滑に搬送することができる。
【０１５９】
また本実施形態では、第１現像剤搬送部２０２は外螺旋羽根２０２ｂを含み、外螺旋羽根２０２ｂの鉛直方向上方に、現像剤を供給するための供給口部２０５ａが設けられる。よって、供給口部２０５ａを介して供給された新規のトナーは、まず、外螺旋羽根２０２ｂによって搬送方向Ｘ上流側に搬送され、その後、回転筒２０２ｄの取込口部２０２ｄａを経て回転筒２０２ｄ内に流入し、内螺旋羽根２０２ａによって搬送方向Ｘ下流側に搬送されることになる。したがって、現像装置２００によれば、現像槽２０１を大型化することなく、新規のトナーを搬送する距離を延ばすことができ、これによって、新規のトナーと現像槽２０１の内壁や回転筒２０２ｄの外周部との間で摩擦が生じる機会を増やすことができる。その結果、新規のトナーをより確実に帯電させることができる。
【０１６０】
また本実施形態では、外螺旋羽根２０２ｂは、第２連通路Ｓに臨む位置に設けられている。したがって、第２連通路Ｓを経て第１搬送路Ｐに搬送されてきた現像剤と、供給口部２０５ａを介して供給された新規のトナーとは、ともに搬送方向Ｘ上流側へ搬送され、その後、回転筒２０２ｄ内に流入することになる。これによって、現像装置２００は、現像槽２０１内に既に貯留されていた現像剤と、供給口部２０５ａを介して供給された新規のトナーとを充分に混合することができるので、現像剤の帯電不足を抑えることができる。なお、現像槽２０１に貯留される現像剤がトナーとキャリアとを含む２成分現像剤である場合、現像装置２００によれば、現像槽２０１内に既に貯留されていた２成分現像剤と、供給口部２０５ａを介して供給された新規のトナーとを充分に混合することができるので、２成分現像剤中のトナー濃度のむらを抑えることができる。
【０１６１】
また本実施形態では、現像装置２００は補助槽２０９を備え、この補助槽２０９の内部空間は、第１搬送路Ｐの搬送方向Ｘ上流側の部分と連通している。そして、第１現像剤搬送部２０２の回転筒２０２ｄは、補助槽２０９まで延びており、その結果、回転筒２０２ｄの取込口部２０２ｄａは補助槽２０９内に設けられる。よって、供給口部２０５ａを介して供給された新規のトナーは、外螺旋羽根２０２ｂによって補助槽２０９内まで搬送された後、取込口部２０２ｄａを経て、回転筒２０２ｄ内に流入することになる。したがって、現像装置２００によれば、新規のトナーが搬送される距離をさらに延ばすことができ、これによって、新規のトナーと補助槽２０９の内壁や回転筒２０２ｄの外周部との間で摩擦が生じる機会をさらに増やすことができる。その結果、新規のトナーをさらに確実に帯電させることができる。なお、本発明の他の実施形態としては、補助槽２０９が設けられなくてもよい。
【０１６２】
また本実施形態では、外螺旋羽根２０２ｂは、内径が一定で、かつ、搬送方向Ｘ上流側に向かうにつれて外径が連続的に小さくなる形状に形成され、補助槽２０９は、外螺旋羽根２０２ｂの外周部に沿うように、この外周部に対して１ｍｍ〜２ｍｍ程度の間隔を空けて形成される第１周壁部２０９ａを有している。したがって、外螺旋羽根２０２ｂが固定される回転筒２０２ｄと第１周壁部２０９ａの鉛直方向下部との間の距離は、搬送方向Ｘ上流側に向かうにつれて徐々に小さくなる。よって、供給口部２０５ａを介して供給された新規のトナーのうち、第１周壁部２０９ａの鉛直方向下部に接する現像剤は、外螺旋羽根２０２ｂによって搬送方向Ｘ上流側に搬送されるうちに、第１周壁部２０９ａに沿って、回転筒２０２ｄによって鉛直方向上方に押し上げられる。その結果、外螺旋羽根２０２ｂにより搬送される現像剤と第１周壁部２０９ａとの間に摩擦が生じ、現像剤が帯電する。このように、現像装置２００によれば、供給口部２０５ａを介して供給された新規のトナーを、より確実に帯電させることができる。なお、本発明の他の実施形態としては、外螺旋羽根２０２ｂが一般螺旋羽根であってもよい。
【０１６３】
また本実施形態では、第１現像剤搬送部２０２は、内螺旋羽根２０２ａの搬送方向Ｘ上流側に連なり、内径が一定で、かつ、搬送方向Ｘ上流側に向かうにつれて外径が連続的に小さくなる形状（すなわち、搬送方向Ｘ下流側に向かうにつれて外径が連続的に大きくなる形状）の上流側螺旋羽根２０２ｃを含み、補助槽２０９は、上流側螺旋羽根２０２ｃの外周部に沿うように、この外周部に対して１ｍｍ〜２ｍｍ程度の間隔を空けて形成される第２周壁部２０９ｂを有している。したがって、上流側螺旋羽根２０２ｃによる搬送方向Ｘ下流側への現像剤の搬送量は、搬送方向Ｘ下流側へ向かうにつれて次第に大きくなる。これによって、回転筒２０２ｄの取込口部２０２ｄａ付近の現像剤の搬送量を大きく保ちながら、上流側螺旋羽根２０２ｃ全体による現像剤の搬送速度を緩やかにすることができる。その結果、回転筒２０２ｄの内側まで現像剤をより確実に案内することができる。
【０１６４】
なお、上記のように、全体的な現像剤の搬送速度を抑えつつ、取込口部２０２ｄａ付近の現像剤の搬送量を大きくするために、上流側螺旋羽根２０２ｃは、図１３（ｃ）に示した、仮想圧縮直円錐台Ｋ５に内接する錐状一般螺旋羽根面ｎ３を有する錐状一般螺旋羽根であることが好ましい。また、本発明の他の実施形態としては、上流側螺旋羽根２０２ｃが設けられなくてもよい。
【０１６５】
また本実施形態では、第１現像剤搬送部２０２は、搬送方向Ｘにおける上流側端部および下流側端部に、支持部材２０２ｆをそれぞれ有している。これによって、支持部材２０２ｆを介して第１現像剤搬送部２０２を駆動することができるので、現像装置２００の駆動機構を簡素化することができる。なお、本発明の他の実施形態としては、支持部材２０２ｆを介さずに第１現像剤搬送部２０２が支持されてもよい。
【０１６６】
また本実施形態では、現像槽２０１には、第１搬送路下流側底部２０１ｇよりも搬送方向Ｘ上流側において第１搬送路下流側底部２０１ｇに隣接し、かつ、第１搬送路下流側底部２０１ｇよりも、鉛直方向上方に突出する下流側障壁部２０１ｈが設けられる。これによって、現像装置２００は、第１現像剤搬送部２０２と現像槽２０１の内壁との間に、搬送方向Ｘ下流側から現像剤が入り込むことを抑えることができる。なお、本発明の他の実施形態としては、下流側障壁部２０１ｈが設けられなくてもよい。
【０１６７】
また本実施形態では、現像槽２０１には、第１搬送路上流側底部２０１ｅよりも搬送方向Ｘ下流側において第１搬送路上流側底部２０１ｅに隣接し、かつ、第１搬送路上流側底部２０１ｅよりも、鉛直方向上方に突出する上流側障壁部２０１ｆが設けられる。これによって、現像装置２００は、第１現像剤搬送部２０２と現像槽２０１の内壁との間に、搬送方向Ｘ上流側から現像剤が入り込むことを抑えることができる。なお、本発明の他の実施形態としては、上流側障壁部２０１ｆが設けられなくてもよい。
【０１６８】
また本実施形態では、内螺旋羽根２０２ａの長手方向中央部では、この内螺旋羽根２０２ａの内側には何も設けられておらず、この内側の空間は、現像剤の移動空間として利用される。すなわち、内螺旋羽根２０２ａの内側の空間に存在する現像剤は、この内螺旋羽根２０２ａによって押されないので、搬送方向Ｘ下流側に進まずにその場に留まろうとする。その結果、内螺旋羽根２０２ａの内側の空間に留まる現像剤は、搬送方向Ｘ下流側に進む現像剤を基準とすれば、搬送方向Ｘ上流側に進むように見える。したがって、本実施形態では、回転筒２０２ｄの内側において、現像剤は相対的に２つの方向に移動しようとし、現像剤同士が反発する。これにより、現像剤の一部は、搬送方向Ｘ以外の方向、たとえば鉛直方向に移動し易くなる。したがって、現像剤と内螺旋羽根２０２ａや回転筒２０２ｄとの間で摩擦が生じる機会が増え、現像剤がより確実に帯電する。また、内螺旋羽根２０２ａの内側に何も設けられていないので、より多くの現像剤を、現像槽２０１内に貯留することができる。なお、本発明の他の実施形態としては、内螺旋羽根２０２ａの長手方向中央部において、この内螺旋羽根２０２ａの内側に円柱状部材が設けられてもよい。
【０１６９】
また本実施形態では、第１連通路底部２０１ｃの鉛直方向上面２０１ｃａは、第２搬送路Ｑ側の部分よりも第１搬送路Ｐ側の部分が鉛直方向上方となるように傾斜して形成される。したがって、現像装置２００は、現像剤が第２搬送路Ｑから第１連通路Ｒを経て第１搬送路Ｐへと移動することをより抑えることができ、現像剤を円滑に搬送することができる。
【０１７０】
また本実施形態では、第２連通路底部２０１ｄの鉛直方向上面２０１ｄａは、第１搬送路Ｐ側の部分よりも第２搬送路Ｑ側の部分が鉛直方向上方となるように傾斜して形成される。したがって、第２連通路底部２０１ｄの鉛直方向上面２０１ｄａ上の現像剤は、自重によって、第１搬送路Ｐ側へ移動しようとする。これによって、現像装置２００は、第２連通路Ｓにおいて現像剤が滞留することを抑えることができる。
【０１７１】
また本実施形態では、第１搬送路上流側底部２０１ｅの鉛直方向上面２０１ｅａは、搬送方向Ｘ下流側の部分よりも搬送方向Ｘ上流側の部分が鉛直方向上方となるように傾斜して形成され、補助槽底部２０９ｃの鉛直方向上面２０９ｃａは、第１搬送路上流側底部２０１ｅの鉛直方向上面２０１ｅａの搬送方向Ｘ上流側の部分に連なり、搬送方向Ｘ下流側の部分よりも搬送方向Ｘ上流側の部分が鉛直方向上方となるように傾斜して形成される。したがって、補助槽底部２０９ｃの鉛直方向上面２０９ｃａ上の現像剤は、自重によって、搬送方向Ｘ下流側へ移動しようとする。これによって、現像装置２００は、補助槽２０９内の現像剤を、より確実に、回転筒２０２ｄ内へ流入させることができる。
【０１７２】
また本実施形態では、円柱形状の回転筒２０２ｄの搬送方向Ｘ下流側の底面に、流出開口部２０２ｄｃが設けられる。これによって、内螺旋羽根２０２ａにより搬送される現像剤が吐出口部２０２ｄｂから流出しなかった場合であっても、流出開口部２０２ｄｃを介して、回転筒２０２ｄ外へ現像剤を搬送することができ、回転筒２０２ｄ内で現像剤が圧縮されることを抑えることができる。
【０１７３】
また本実施形態では、送出部２０２ｅを構成する各矩形平板は、回転筒２０２ｄの周方向において等間隔に設けられ、かつ、吐出口部２０２ｄｂに形成される隣接する２つの孔のうち、回転方向Ｇ１において上流側に位置する孔の、回転方向Ｇ１下流端に隣接して設けられる。これによって、第１現像剤搬送部２０２は、隣接する２つの孔に挟まれる回転筒２０２ｄの側面と矩形平板の主面とによって、現像剤をより確実に汲み上げることができるので、第１搬送路Ｐの搬送方向Ｘ下流側において現像剤が滞留することを抑えることができる。
【符号の説明】
【０１７４】
２０  トナー像形成部
３０  転写部
４０  定着部
５０  記録媒体供給部
６０  排出部
１００  画像形成装置
２００，２００ｂ，２００ｃ，２００ｍ，２００ｙ  現像装置
２０１  現像槽
２０１ａ  第１搬送路底部
２０１ｂ  第２搬送路底部
２０１ｃ  第１連通路底部
２０１ｄ  第２連通路底部
２０１ｅ  第１搬送路上流側底部
２０１ｆ  上流側障壁部
２０１ｇ  第１搬送路下流側底部
２０１ｈ  下流側障壁部
２０２  第１現像剤搬送部
２０２ａ  内螺旋羽根
２０２ｂ  外螺旋羽根
２０２ｃ  上流側螺旋羽根
２０２ｄ  回転筒
２０２ｄａ  取込口部
２０２ｄｂ  吐出口部
２０２ｄｃ  流出開口部
２０２ｅ  送出部
２０２ｆ  支持部材
２０２ｇ  第１ギア
２０３  第２現像剤搬送部
２０３ａ  第２螺旋羽根
２０３ｂ  回転軸部材
２０３ｃ  周方向回転板
２０３ｄ  第２ギア
２０４  現像ローラ
２０５  現像槽カバー
２０５ａ  供給口部
２０６  ドクターブレード
２０７  隔壁
２０８  トナー濃度検知センサ
２０９  補助槽
２５０，２５０ｂ，２５０ｃ，２５０ｍ，２５０ｙ  トナー供給パイプ
３００，３００ｂ，３００ｃ，３００ｍ，３００ｙ  トナーカートリッジ
【図１】
0005184660.tif 000002
【図２】
0005184660.tif 000003
【図３】
0005184660.tif 000004
【図４】
0005184660.tif 000005
【図５】
0005184660.tif 000006
【図６】
0005184660.tif 000007
【図７】
0005184660.tif 000008
【図８】
0005184660.tif 000009
【図９】
0005184660.tif 000010
【図１０】
0005184660.tif 000011
【図１１】
0005184660.tif 000012
【図１２】
0005184660.tif 000013
【図１３】
0005184660.tif 000014